(57)【要約】【課題】  ドライバＩＣと外部回路接続用ＦＰＣケーブルを搭載する表示パネルの額縁部の省スペース化を実現する表示装置を提供する。【解決手段】  駆動素子４の駆動出力端子２０の配列された辺と相対する辺に入力端子２１を形成し、外部回路接続用端子２３を駆動素子４の入力端子２１から３ｍｍ以内、かつ、駆動素子４の入力端子２１と平行に形成した構成とすることにより、駆動素子４を搭載した額縁部の幅寸法を７ｍｍ以下とする。【選択図】    図２
2005234459.tif 000002
【特許請求の範囲】
【請求項１】
マトリクス状に配列された複数個の表示画素と、前記表示画素を選択する複数本の走査線と、該走査線と電気的に接続し一辺に複数個配列された走査線電極端子配列と、前記走査線と直行し前記表示画素を選択する複数本の信号線と、該信号線と電気的に接続し一辺に複数個配列された信号線電極端子配列とを表面に形成するガラス基板と、
長手方向は前記ガラス基板の走査線電極端子配列長に応じた長さで幅は４ｍｍ以下とするガラス基板上に、多結晶シリコン薄膜トランジスタから構成され前記ガラス基板の走査線に電圧を供給する走査線駆動回路を形成し、前記ガラス基板の走査線電極端子配列に対応する走査線駆動回路の出力端子配列と、外部回路から供給される信号と電源電圧を入力するための入力端子を有し、前記ガラス基板の周辺部の表示画素領域外の額縁部の走査線電極端子配列側に搭載されて、前記各出力端子はそれぞれ対応する前記ガラス基板の走査線電極に接続される走査線駆動素子と、
長手方向は前記ガラス基板の信号線電極端子配列長に応じた長さで幅は４ｍｍ以下とするガラス基板上に多結晶シリコン薄膜トランジスタから構成され前記ガラス基板の信号線に電圧を供給する信号線駆動回路を形成し、前記ガラス基板の信号線電極端子配列に対応する信号線駆動回路の出力端子配列と、外部回路から供給される信号と電源電圧を入力するための入力端子を有し、前記ガラス基板の信号線電極端子配列側の額縁部に搭載されて、前記各出力端子はそれぞれ対応する前記ガラス基板の信号線電極に接続される信号線駆動素子とから構成され、
外部回路から前記走査線駆動素子と前記信号線駆動素子と前記ガラス基板に信号と電源電圧を供給し、前記ガラス基板の走査線電極端子配列側の額縁部ならびに信号線電極端子配列側の額縁部の幅よりも広い幅を有するフレキシブルフラットケーブルを接続するための外部回路接続用端子を前記ガラス基板の額縁部に形成した構成とする表示装置において、
走査線駆動素子と信号線駆動素子のうち一方の駆動素子の出力端子配列を設けた辺と相対する辺に入力端子を形成し、他方の駆動素子の出力端子配列を設けた辺と隣接する辺に入力端子を形成し、該他方の駆動素子の入力端子を設けた辺を前記一方の駆動素子の入力端子を設けた辺とほぼ一直線上又はほぼ平行に位置する構成とし、さらに、前記外部回路接続用端子の配列を、前記一方の駆動素子の搭載された額縁部上で、前記一方の駆動素子の入力端子の形成された辺および前記他方の駆動素子の入力端子を形成した辺と平行かつ３ｍｍ以内の位置に形成することにより、前記駆動素子及び前記外部回路接続用端子を搭載した額縁部の幅寸法を７ｍｍ以下の構造としたことを特徴とする３インチ以上の表示装置。
【請求項２】
マトリクス状に配列された複数個の表示画素と、前記表示画素を選択する複数本の走査線と、該走査線と電気的に接続し一辺に複数個配列された走査線電極端子配列と、前記走査線と直行し前記表示画素を選択する複数本の信号線と、該信号線と電気的に接続し一辺に複数個配列された信号線電極端子配列とを表面に形成するガラス基板と、
長手方向は前記ガラス基板の走査線電極端子配列長に応じた長さで幅は４ｍｍ以下とするガラス基板上に、多結晶シリコン薄膜トランジスタから構成され前記ガラス基板の走査線に電圧を供給する走査線駆動回路を形成し、前記ガラス基板の走査線電極端子配列に対応する走査線駆動回路の出力端子配列と、外部回路から供給される信号と電源電圧を入力するための入力端子を有し、前記ガラス基板の額縁部の走査線電極端子配列側に搭載されて、前記各出力端子はそれぞれ対応する前記ガラス基板の走査線電極に接続される走査線駆動素子と、
長手方向は前記ガラス基板の信号線電極端子配列長に応じた長さで幅は４ｍｍ以下とするガラス基板上に多結晶シリコン薄膜トランジスタから構成され前記ガラス基板の信号線に電圧を供給する信号線駆動回路を形成し、前記ガラス基板の信号線電極端子配列に対応する信号線駆動回路の出力端子配列と、外部回路から供給される信号と電源電圧を入力するための入力端子を有し、前記ガラス基板の信号線電極端子配列側額縁部に搭載されて、前記各出力端子はそれぞれ対応する前記ガラス基板の信号線電極に接続される信号線駆動素子とから構成され、
外部回路から前記走査線駆動素子と前記信号線駆動素子と前記ガラス基板に信号と電源電圧を供給し、前記ガラス基板の走査線電極端子配列側額縁部ならびに信号線電極端子配列側額縁部の幅よりも広い幅を有するフレキシブルフラットケーブルを接続するための外部回路接続用端子を前記ガラス基板の額縁部に形成した構成とする表示装置において、
走査線駆動素子と信号線駆動素子のうち一方の駆動素子の出力端子配列を設けた辺と相対する辺に入力端子を形成し、他方の駆動素子の出力端子配列を設けた辺、又は／及びその辺と相対する辺に入力端子を形成し、該他方の駆動素子の出力端子配列を設けた辺と隣接する辺を前記一方の駆動素子の入力端子を設けた辺とほぼ一直線上又はほぼ平行に位置する構成とし、さらに、前記外部回路接続用端子の配列を、前記一方の駆動素子の搭載された額縁部上で、前記一方の駆動素子の入力端子を形成した辺と平行かつ３ｍｍ以内の位置に形成することにより、前記駆動素子及び前記外部回路接続用端子を搭載した額縁部の幅寸法を７ｍｍ以下の構造としたことを特徴とする３インチ以上の表示装置。
【請求項３】
マトリクス状に配列された複数個の表示画素と、前記表示画素を選択する複数本の走査線と、該走査線と電気的に接続し一辺に複数個配列された走査線電極端子配列と、前記走査線と直行し前記表示画素を選択する複数本の信号線と、該信号線と電気的に接続し一辺に複数個配列された信号線電極端子配列とを表面に形成するガラス基板と、
長手方向は前記ガラス基板の走査線電極端子配列長に応じた長さで幅は４ｍｍ以下とするガラス基板上に、多結晶シリコン薄膜トランジスタから構成され前記ガラス基板の走査線に電圧を供給する走査線駆動回路を形成し、前記ガラス基板の走査線電極端子配列に対応する走査線駆動回路の出力端子配列と、外部回路から供給される信号と電源電圧を入力するための入力端子を有し、前記ガラス基板の額縁部の走査線電極端子配列側に搭載されて、前記各出力端子はそれぞれ対応する前記ガラス基板の走査線電極に接続される走査線駆動素子と、
長手方向は前記ガラス基板の信号線電極端子配列長に応じた長さで幅は４ｍｍ以下とするガラス基板上に多結晶シリコン薄膜トランジスタから構成され前記ガラス基板の信号線に電圧を供給する信号線駆動回路を形成し、前記ガラス基板の信号線電極端子配列に対応する信号線駆動回路の出力端子配列と、外部回路から供給される信号と電源電圧を入力するための入力端子を有し、前記ガラス基板の信号線電極端子配列側の額縁部に搭載されて、前記各出力端子はそれぞれ対応する前記ガラス基板の信号線電極に接続される信号線駆動素子とから構成され、
外部回路から前記走査線駆動素子と前記信号線駆動素子と前記ガラス基板に信号と電源電圧を供給し、前記ガラス基板の走査線電極端子配列側の額縁部ならびに信号線電極端子配列側の額縁部の幅よりも広い幅を有するフレキシブルフラットケーブルを接続するための外部回路接続用端子を前記ガラス基板の額縁部に形成した構成とする表示装置において、
走査線駆動素子と信号線駆動素子のうち一方の駆動素子の出力端子配列を設けた辺と相対する辺に入力端子を形成し、該一方の駆動素子の入力端子を設けた辺と隣接する辺を、前記他方の駆動素子の出力端子配列を設けた辺と相対する辺とほぼ一直線上又はほぼ平行に位置する構成とし、他方の駆動素子の出力端子配列を設けた辺と隣接する辺に入力端子を形成し、前記外部回路接続用端子から前記他方の駆動素子の入力端子までの配線を前記一方の駆動素子内部に形成し、さらに、前記外部回路接続用端子の配列を、前記一方の駆動素子の搭載された額縁部上で、前記一方の駆動素子の入力端子の形成された辺と、平行かつ３ｍｍ以内の位置に形成することにより、前記駆動素子及び前記外部回路接続用端子を搭載した額縁部の幅寸法を７ｍｍ以下の構造としたことを特徴とする３インチ以上の表示装置。
【請求項４】
マトリクス状に配列された複数個の表示画素と、前記表示画素を選択する複数本の走査線と、該走査線と電気的に接続し一辺に複数個配列された走査線電極端子配列と、前記走査線と直行し前記表示画素を選択する複数本の信号線と、該信号線と電気的に接続し一辺に複数個配列された信号線電極端子配列とを表面に形成するガラス基板と、
長手方向は前記ガラス基板の走査線電極端子配列長に応じた長さで幅は４ｍｍ以下とするガラス基板上に、多結晶シリコン薄膜トランジスタから構成され前記ガラス基板の走査線に電圧を供給する走査線駆動回路を形成し、前記ガラス基板の走査線電極端子配列に対応する走査線駆動回路の出力端子配列と、外部回路から供給される信号と電源電圧を入力するための入力端子を有し、前記ガラス基板の周辺部の表示画素領域外額縁部の走査線電極端子配列側に搭載されて、前記各出力端子はそれぞれ対応する前記ガラス基板の走査線電極に接続される走査線駆動素子と、
長手方向は前記ガラス基板の信号線電極端子配列長に応じた長さで幅は４ｍｍ以下とするガラス基板上に多結晶シリコン薄膜トランジスタから構成され前記ガラス基板の信号線に電圧を供給する信号線駆動回路を形成し、前記ガラス基板の信号線電極端子配列に対応する信号線駆動回路の出力端子配列と、外部回路から供給される信号と電源電圧を入力するための入力端子を有し、前記ガラス基板の信号線電極端子配列側の額縁部に搭載されて、前記各出力端子はそれぞれ対応する前記ガラス基板の信号線電極に接続される信号線駆動素子とから構成され、
外部回路から前記走査線駆動素子と前記信号線駆動素子と前記ガラス基板に信号と電源電圧を供給し、前記ガラス基板の走査線電極端子配列側額縁部ならびに信号線電極端子配列側額縁部の幅よりも広い幅を有するフレキシブルフラットケーブルを接続するための外部回路接続用端子を前記ガラス基板の額縁部に形成した構成とする表示装置において、
走査線駆動素子と信号線駆動素子のうち一方の駆動素子の出力端子配列を設けた辺と相対する辺に入力端子を形成し、該一方の駆動素子の入力端子を設けた辺と隣接する辺を、前記他方の駆動素子の出力端子配列を設けた辺と相対する辺とほぼ一直線上又はほぼ平行に位置する構成とし、他方の駆動素子の出力端子配列を設けた辺、又は／及びその辺と相対する辺に入力端子を形成し、前記外部回路接続用端子から前記他方の駆動素子の入力端子までの配線を前記一方の駆動素子内部に形成し、さらに、前記外部回路接続用端子の配列を、前記一方の駆動素子の搭載された額縁部上で、前記一方の駆動素子の入力端子の形成された辺と、平行かつ３ｍｍ以内の位置に形成することにより、前記駆動素子及び前記外部回路接続用端子を搭載した額縁部の幅寸法を７ｍｍ以下の構造としたことを特徴とする３インチ以上の表示装置。
【請求項５】
前記外部回路接続用端子を、一方の駆動素子の搭載された額縁部上で、他方の駆動素子に最も近い領域に形成したことを特徴とする請求項１から４のいずれか１つに記載の表示装置。
【請求項６】
前記外部回路接続用端子を、一方の駆動素子の搭載された額縁部上で、該額縁部のほぼ中央に形成したことを特徴とする請求項１から４のいずれか１つに記載の表示装置。
【請求項７】
前記外部回路接続用端子を、一方の駆動素子の搭載された額縁部上で、他方の駆動素子から最も遠い領域に形成したことを特徴とする請求項１から４のいずれか１つに記載の表示装置。
【請求項８】
マトリクス状に配列された複数個の表示画素と、前記表示画素を選択する４８０本以上の走査線と、該走査線と電気的に接続し一辺に複数個配列された走査線電極端子配列と、前記走査線と直行し前記表示画素を選択する６４０本以上の信号線と、該信号線と電気的に接続し一辺に複数個配列された信号線電極端子配列とを表面に形成するガラス基板と、
長手方向は前記ガラス基板の走査線電極端子配列長に応じた長さで幅は４ｍｍ以下とするガラス基板上に、多結晶シリコン薄膜トランジスタから構成され前記ガラス基板の走査線に電圧を供給する走査線駆動回路を形成し、前記ガラス基板１の走査線電極端子配列に対応する走査線駆動回路の出力端子配列と、外部回路から供給される信号と電源電圧を入力するための入力端子を有し、前記ガラス基板の周辺部の表示画素領域外の額縁部の走査線電極端子配列側に搭載されて、前記各出力端子はそれぞれ対応する前記ガラス基板の走査線電極に接続される走査線駆動素子と、
長手方向は前記ガラス基板の信号線電極端子配列長に応じた長さで幅は４ｍｍ以下とするガラス基板上に多結晶シリコン薄膜トランジスタから構成され前記ガラス基板の信号線に電圧を供給する信号線駆動回路を形成し、前記ガラス基板の信号線電極端子配列に対応する信号線駆動回路の出力端子配列と、外部回路から供給される信号と電源電圧を入力するための入力端子を有し、前記ガラス基板の信号線電極端子配列側の額縁部に搭載されて、前記各出力端子はそれぞれ対応する前記ガラス基板の信号線電極に接続される信号線駆動素子とから構成され、
外部回路から前記走査線駆動素子と前記信号線駆動素子と前記ガラス基板に信号と電源電圧を供給し、前記ガラス基板の走査線電極端子配列側の額縁部ならびに信号線電極端子配列側の額縁部の幅よりも広い幅を有するフレキシブルフラットケーブルを接続するための外部回路接続用端子を前記ガラス基板の額縁部に形成した構成とする表示装置において、
走査線駆動素子と信号線駆動素子のうち一方の駆動素子の出力端子配列を設けた辺と相対する辺に入力端子を形成し、他方の駆動素子の出力端子配列を設けた辺と隣接する辺に入力端子を形成し、該他方の駆動素子の入力端子を設けた辺を前記一方の駆動素子の入力端子を設けた辺とほぼ一直線上又はほぼ平行に位置する構成とし、さらに、前記外部回路接続用端子の配列を、前記一方の駆動素子の搭載された額縁部上で、前記一方の駆動素子の入力端子の形成された辺および前記他方の駆動素子の入力端子を形成した辺と、平行かつ３ｍｍ以内の位置に形成することにより、前記駆動素子及び前記外部回路接続用端子を搭載した額縁部の幅寸法を７ｍｍ以下の構造としたことを特徴とする表示装置。
【請求項９】
マトリクス状に配列された複数個の表示画素と、前記表示画素を選択する４８０本以上の走査線と、該走査線と電気的に接続し一辺に複数個配列された走査線電極端子配列と、前記走査線と直行し前記表示画素を選択する６４０本以上の信号線と、該信号線と電気的に接続し一辺に複数個配列された信号線電極端子配列とを表面に形成するガラス基板と、
長手方向は前記ガラス基板の走査線電極端子配列長に応じた長さで幅は４ｍｍ以下とするガラス基板上に、多結晶シリコン薄膜トランジスタから構成され前記ガラス基板の走査線に電圧を供給する走査線駆動回路を形成し、前記ガラス基板の走査線電極端子配列に対応する走査線駆動回路の出力端子配列と、外部回路から供給される信号と電源電圧を入力するための入力端子を有し、前記ガラス基板の額縁部の走査線電極端子配列側に搭載されて、前記各出力端子はそれぞれ対応する前記ガラス基板の走査線電極に接続される走査線駆動素子と、
長手方向は前記ガラス基板の信号線電極端子配列長に応じた長さで幅は４ｍｍ以下とするガラス基板上に多結晶シリコン薄膜トランジスタから構成され前記ガラス基板の信号線に電圧を供給する信号線駆動回路を形成し、前記ガラス基板の信号線電極端子配列に対応する信号線駆動回路の出力端子配列と、外部回路から供給される信号と電源電圧を入力するための入力端子を有し、前記ガラス基板の信号線電極端子配列側の額縁部に搭載されて、前記各出力端子はそれぞれ対応する前記ガラス基板の信号線電極に接続される信号線駆動素子とから構成され、
外部回路から前記走査線駆動素子と前記信号線駆動素子と前記ガラス基板に信号と電源電圧を供給し、前記ガラス基板の走査線電極端子配列側の額縁部ならびに信号線電極端子配列側の額縁部の幅よりも広い幅を有するフレキシブルフラットケーブルを接続するための外部回路接続用端子を前記ガラス基板の額縁部に形成した構成とする表示装置において、
走査線駆動素子と信号線駆動素子のうち一方の駆動素子の出力端子配列を設けた辺と相対する辺に入力端子を形成し、他方の駆動素子の出力端子配列を設けた辺、又は／及びその辺と相対する辺に入力端子を形成し、該他方の駆動素子の出力端子配列を設けた辺と隣接する辺を前記一方の駆動素子の入力端子を設けた辺とほぼ一直線上又はほぼ平行に位置する構成とし、さらに、前記外部回路接続用端子の配列を、前記一方の駆動素子の搭載された額縁部上で、前記一方の駆動素子の入力端子を形成した辺と、平行かつ３ｍｍ以内の位置に形成することにより、前記駆動素子及び前記外部回路接続用端子を搭載した額縁部の幅寸法を７ｍｍ以下の構造としたことを特徴とする表示装置。
【請求項１０】
マトリクス状に配列された複数個の表示画素と、前記表示画素を選択する４８０本以上の走査線と、該走査線と電気的に接続し一辺に複数個配列された走査線電極端子配列と、前記走査線と直行し前記表示画素を選択する６４０本以上の信号線と、該信号線と電気的に接続し一辺に複数個配列された信号線電極端子配列とを表面に形成するガラス基板と、
長手方向は前記ガラス基板の走査線電極端子配列長に応じた長さで幅は４ｍｍ以下とするガラス基板上に、多結晶シリコン薄膜トランジスタから構成され前記ガラス基板の走査線に電圧を供給する走査線駆動回路を形成し、前記ガラス基板の走査線電極端子配列に対応する走査線駆動回路の出力端子配列と、外部回路から供給される信号と電源電圧を入力するための入力端子を有し、前記ガラス基板の額縁部の走査線電極端子配列側に搭載されて、前記各出力端子はそれぞれ対応する前記ガラス基板の走査線電極に接続される走査線駆動素子と、
長手方向は前記ガラス基板の信号線電極端子配列長に応じた長さで幅は４ｍｍ以下とするガラス基板上に多結晶シリコン薄膜トランジスタから構成され前記ガラス基板の信号線に電圧を供給する信号線駆動回路を形成し、前記ガラス基板の信号線電極端子配列に対応する信号線駆動回路の出力端子配列と、外部回路から供給される信号と電源電圧を入力するための入力端子を有し、前記ガラス基板の信号線電極端子配列側額縁部に搭載されて、前記各出力端子はそれぞれ対応する前記ガラス基板の信号線電極に接続される信号線駆動素子とから構成され、
外部回路から前記走査線駆動素子と前記信号線駆動素子と前記ガラス基板１に信号と電源電圧を供給し、前記ガラス基板の走査線電極端子配列側の額縁部ならびに信号線電極端子配列側の額縁部の幅よりも広い幅を有するフレキシブルフラットケーブルを接続するための外部回路接続用端子を前記ガラス基板の額縁部に形成した構成とする表示装置において、
走査線駆動素子と信号線駆動素子のうち一方の駆動素子の出力端子配列を設けた辺と相対する辺に入力端子を形成し、該一方の駆動素子の入力端子を設けた辺と隣接する辺を、前記他方の駆動素子の出力端子配列を設けた辺と相対する辺とほぼ一直線上又はほぼ平行に位置する構成とし、他方の駆動素子の出力端子配列を設けた辺と隣接する辺に入力端子を形成し、前記外部回路接続用端子から前記他方の駆動素子の入力端子までの配線を前記一方の駆動素子内部に形成し、さらに、前記外部回路接続用端子の配列を、前記一方の駆動素子の搭載された額縁部上で、前記一方の駆動素子の入力端子の形成された辺と、平行かつ３ｍｍ以内の位置に形成することにより、前記駆動素子及び前記外部回路接続用端子を搭載した額縁部の幅寸法を７ｍｍ以下の構造としたことを特徴とする表示装置。
【請求項１１】
マトリクス状に配列された複数個の表示画素と、前記表示画素を選択する４８０本以上の走査線と、該走査線と電気的に接続し一辺に複数個配列された走査線電極端子配列と、前記走査線と直行し前記表示画素を選択する６４０本以上の信号線と、該信号線と電気的に接続し一辺に複数個配列された信号線電極端子配列とを表面に形成するガラス基板と、
長手方向は前記ガラス基板の走査線電極端子配列長に応じた長さで幅は４ｍｍ以下とするガラス基板上に、多結晶シリコン薄膜トランジスタから構成され前記ガラス基板の走査線に電圧を供給する走査線駆動回路を形成し、前記ガラス基板の走査線電極端子配列に対応する走査線駆動回路の出力端子配列と、外部回路から供給される信号と電源電圧を入力するための入力端子を有し、前記ガラス基板の周辺部の表示画素領域外額縁部の走査線電極端子配列側に搭載されて、前記各出力端子はそれぞれ対応する前記ガラス基板の走査線電極に接続される走査線駆動素子と、
長手方向は前記ガラス基板の信号線電極端子配列長に応じた長さで幅は４ｍｍ以下とするガラス基板上に多結晶シリコン薄膜トランジスタから構成され前記ガラス基板の信号線に電圧を供給する信号線駆動回路を形成し、前記ガラス基板の信号線電極端子配列に対応する信号線駆動回路の出力端子配列と、外部回路から供給される信号と電源電圧を入力するための入力端子を有し、前記ガラス基板の信号線電極端子配列側の額縁部に搭載されて、前記各出力端子はそれぞれ対応する前記ガラス基板の信号線電極に接続される信号線駆動素子とから構成され、
外部回路から前記走査線駆動素子と前記信号線駆動素子と前記ガラス基板に信号と電源電圧を供給し、前記ガラス基板の走査線電極端子配列側の額縁部ならびに信号線電極端子配列側の額縁部の幅よりも広い幅を有するフレキシブルフラットケーブルを接続するための外部回路接続用端子を前記ガラス基板の額縁部に形成した構成とする表示装置において、
走査線駆動素子と信号線駆動素子のうち一方の駆動素子の出力端子配列を設けた辺と相対する辺に入力端子を形成し、該一方の駆動素子の入力端子を設けた辺と隣接する辺を、前記他方の駆動素子の出力端子配列を設けた辺と相対する辺とほぼ一直線上又はほぼ平行に位置する構成とし、他方の駆動素子の出力端子配列を設けた辺又は／及びその辺と相対する辺に入力端子を形成し、前記外部回路接続用端子から前記他方の駆動素子の入力端子までの配線を前記一方の駆動素子内部に形成し、さらに、前記外部回路接続用端子の配列を、前記一方の駆動素子の搭載された額縁部上で、前記一方の駆動素子の入力端子の形成された辺と、平行かつ３ｍｍ以内の位置に形成することにより、前記駆動素子及び前記外部回路接続用端子を搭載した額縁部の幅寸法を７ｍｍ以下の構造としたことを特徴とする表示装置。
【請求項１２】
前記外部回路接続用端子を、一方の駆動素子の搭載された額縁部上で、他方の駆動素子に最も近い領域に形成したことを特徴とする請求項８から１１のいずれか１つに記載の表示装置。
【請求項１３】
前記外部回路接続用端子を、一方の駆動素子の搭載された額縁部上で、該額縁部のほぼ中央に形成したことを特徴とする請求項８から１１のいずれか１つに記載の表示装置。
【請求項１４】
前記外部回路接続用端子を、一方の駆動素子の搭載された額縁部上で、他方の駆動素子から最も遠い領域に形成したことを特徴とする請求項８から１１のいずれか１つに記載の表示装置。
【請求項１５】
表示画素電極に電圧を印加する複数個の薄膜トランジスタと、前記薄膜トランジスタを選択する複数本の走査線と、該走査線と電気的に接続し一辺に複数個配列された走査線電極端子配列と、前記走査線と直行する複数本の信号線と、該信号線と電気的に接続し一辺に複数個配列された信号線電極端子配列とを表面に形成する第１のガラス基板と、
前記表示画素電極の対向電極を表面に形成し、液晶層をはさんで前記第１のガラス基板と対向する第２のガラス基板と、
長手方向は前記第１のガラス基板の走査線電極端子配列長に応じた長さで幅は４ｍｍ以下とする第１のガラス基板上に、多結晶シリコン薄膜トランジスタから構成され前記第１のガラス基板の走査線に電圧を供給する走査線駆動回路を形成し、前記第１のガラス基板の走査線電極端子配列に対応する走査線駆動回路の出力端子配列と、外部回路から供給される信号と電源電圧を入力するための入力端子を有し、前記第１のガラス基板の周辺部の表示画素領域外の額縁部の走査線電極端子配列側に搭載されて、前記各出力端子はそれぞれ対応する前記第１のガラス基板の走査線電極に接続される走査線駆動素子と、
長手方向は前記第１のガラス基板の信号線電極端子配列長に応じた長さで幅は４ｍｍ以下とする第１のガラス基板上に多結晶シリコン薄膜トランジスタから構成され前記第１のガラス基板の信号線に電圧を供給する信号線駆動回路を形成し、前記第１のガラス基板の信号線電極端子配列に対応する信号線駆動回路の出力端子配列と、外部回路から供給される信号と電源電圧を入力するための入力端子を有し、前記第１のガラス基板の信号線電極端子配列側の額縁部に搭載されて、前記各出力端子はそれぞれ対応する前記第１のガラス基板の信号線電極に接続される信号線駆動素子とから構成され、
外部回路から前記走査線駆動素子と前記信号線駆動素子と前記第１のガラス基板と前記第２のガラス基板に信号と電源電圧を供給し、前記第１のガラス基板の走査線電極端子配列側の額縁部ならびに信号線電極端子配列側の額縁部の幅よりも広い幅を有するフレキシブルフラットケーブルを接続するための外部回路接続用端子を前記第１のガラス基板の額縁部に形成した構成とする表示装置において、
走査線駆動素子と信号線駆動素子のうち一方の駆動素子の出力端子配列を設けた辺と相対する辺に入力端子を形成し、他方の駆動素子の出力端子配列を設けた辺と隣接する辺に入力端子を形成し、該他方の駆動素子の入力端子を設けた辺を前記一方の駆動素子の入力端子を設けた辺とほぼ一直線上又はほぼ平行に位置する構成とし、さらに、前記外部回路接続用端子の配列を、前記一方の駆動素子の搭載された額縁部上で、前記一方の駆動素子の入力端子の形成された辺および前記他方の駆動素子の入力端子を形成した辺と、平行かつ３ｍｍ以内の位置に形成することにより、前記駆動素子及び前記外部回路接続用端子を搭載した額縁部の幅寸法を７ｍｍ以下の構造としたことを特徴とする３インチ以上の液晶表示装置。
【請求項１６】
表示画素電極に電圧を印加する複数個の薄膜トランジスタと、前記薄膜トランジスタを選択する複数本の走査線と、該走査線と電気的に接続し一辺に複数個配列された走査線電極端子配列と、前記走査線と直行する複数本の信号線と、該信号線と電気的に接続し一辺に複数個配列された信号線電極端子配列とを表面に形成する第１のガラス基板と、
前記表示画素電極の対向電極を表面に形成し、液晶層をはさんで前記第１のガラス基板と対向する第２のガラス基板と、
長手方向は前記第１のガラス基板の走査線電極端子配列長に応じた長さで幅は４ｍｍ以下とする第１のガラス基板上に、多結晶シリコン薄膜トランジスタから構成され前記第１のガラス基板の走査線に電圧を供給する走査線駆動回路を形成し、前記第１のガラス基板の走査線電極端子配列に対応する走査線駆動回路の出力端子配列と、外部回路から供給される信号と電源電圧を入力するための入力端子を有し、前記第１のガラス基板の額縁部の走査線電極端子配列側に搭載されて、前記各出力端子はそれぞれ対応する前記第１のガラス基板の走査線電極に接続される走査線駆動素子と、
長手方向は前記第１のガラス基板の信号線電極端子配列長に応じた長さで幅は４ｍｍ以下とする第１のガラス基板上に多結晶シリコン薄膜トランジスタから構成され前記第１のガラス基板の信号線に電圧を供給する信号線駆動回路を形成し、前記第１のガラス基板の信号線電極端子配列に対応する信号線駆動回路の出力端子配列と、外部回路から供給される信号と電源電圧を入力するための入力端子を有し、前記第１のガラス基板の信号線電極端子配列側の額縁部に搭載されて、前記各出力端子はそれぞれ対応する前記第１のガラス基板の信号線電極に接続される信号線駆動素子とから構成され、
外部回路から前記走査線駆動素子と前記信号線駆動素子と前記第１のガラス基板と前記第２のガラス基板に信号と電源電圧を供給し、前記第１のガラス基板の走査線電極端子配列側の額縁部ならびに信号線電極端子配列側の額縁部の幅よりも広い幅を有するフレキシブルフラットケーブルを接続するための外部回路接続用端子を前記第１のガラス基板の額縁部に形成した構成とする表示装置において、
走査線駆動素子と信号線駆動素子のうち一方の駆動素子の出力端子配列を設けた辺と相対する辺に入力端子を形成し、他方の駆動素子の出力端子配列を設けた辺又は／及びその辺と相対する辺に入力端子を形成し、該他方の駆動素子の出力端子配列を設けた辺と隣接する辺を前記一方の駆動素子の入力端子を設けた辺とほぼ一直線上又はほぼ平行に位置する構成とし、さらに、前記外部回路接続用端子の配列を、前記一方の駆動素子の搭載された額縁部上で、前記一方の駆動素子の入力端子を形成した辺と、平行かつ３ｍｍ以内の位置に形成することにより、前記駆動素子及び前記外部回路接続用端子を搭載した額縁部の幅寸法を７ｍｍ以下の構造としたことを特徴とする３インチ以上の液晶表示装置。
【請求項１７】
表示画素電極に電圧を印加する複数個の薄膜トランジスタと、前記薄膜トランジスタを選択する複数本の走査線と、該走査線と電気的に接続し一辺に複数個配列された走査線電極端子配列と、前記走査線と直行する複数本の信号線と、該信号線と電気的に接続し一辺に複数個配列された信号線電極端子配列とを表面に形成する第１のガラス基板と、
前記表示画素電極の対向電極を表面に形成し、液晶層をはさんで前記第１のガラス基板と対向する第２のガラス基板と、
長手方向は前記第１のガラス基板の走査線電極端子配列長に応じた長さで幅は４ｍｍ以下とする第１のガラス基板上に、多結晶シリコン薄膜トランジスタから構成され前記第１のガラス基板の走査線に電圧を供給する走査線駆動回路を形成し、前記第１のガラス基板の走査線電極端子配列に対応する走査線駆動回路の出力端子配列と、外部回路から供給される信号と電源電圧を入力するための入力端子を有し、前記第１のガラス基板の額縁部の走査線電極端子配列側に搭載されて、前記各出力端子はそれぞれ対応する前記第１のガラス基板の走査線電極に接続される走査線駆動素子と、
長手方向は前記第１のガラス基板の信号線電極端子配列長に応じた長さで幅は４ｍｍ以下とする第１のガラス基板上に多結晶シリコン薄膜トランジスタから構成され前記第１のガラス基板の信号線に電圧を供給する信号線駆動回路を形成し、前記第１のガラス基板の信号線電極端子配列に対応する信号線駆動回路の出力端子配列と、外部回路から供給される信号と電源電圧を入力するための入力端子を有し、前記第１のガラス基板の信号線電極端子配列側の額縁部に搭載されて、前記各出力端子はそれぞれ対応する前記第１のガラス基板の信号線電極に接続される信号線駆動素子とから構成され、
外部回路から前記走査線駆動素子と前記信号線駆動素子と前記第１のガラス基板と前記第２のガラス基板に信号と電源電圧を供給し、前記第１のガラス基板の走査線電極端子配列側の額縁部ならびに信号線電極端子配列側の額縁部の幅よりも広い幅を有するフレキシブルフラットケーブルを接続するための外部回路接続用端子を前記第１のガラス基板の額縁部に形成した構成とする表示装置において、
走査線駆動素子と信号線駆動素子のうち一方の駆動素子の出力端子配列を設けた辺と相対する辺に入力端子を形成し、該一方の駆動素子の入力端子を設けた辺と隣接する辺を、前記他方の駆動素子の出力端子配列を設けた辺と相対する辺とほぼ一直線上又はほぼ平行に位置する構成とし、他方の駆動素子の出力端子配列を設けた辺と隣接する辺に入力端子を形成し、前記外部回路接続用端子から前記他方の駆動素子の入力端子までの配線を前記一方の駆動素子内部に形成し、さらに、前記外部回路接続用端子の配列を、前記一方の駆動素子の搭載された額縁部上で、前記一方の駆動素子の入力端子の形成された辺と、平行かつ３ｍｍ以内の位置に形成することにより、前記駆動素子及び前記外部回路接続用端子を搭載した額縁部の幅寸法を７ｍｍ以下の構造としたことを特徴とする３インチ以上の液晶表示装置。
【請求項１８】
表示画素電極に電圧を印加する複数個の薄膜トランジスタと、前記薄膜トランジスタを選択する複数本の走査線と、該走査線と電気的に接続し一辺に複数個配列された走査線電極端子配列と、前記走査線と直行する複数本の信号線と、該信号線と電気的に接続し一辺に複数個配列された信号線電極端子配列と、を表面に形成する第１のガラス基板と、
前記表示画素電極の対向電極を表面に形成し、液晶層をはさんで前記第１のガラス基板と対向する第２のガラス基板と、
長手方向は前記第１のガラス基板の走査線電極端子配列長に応じた長さで幅は４ｍｍ以下とする第１のガラス基板上に、多結晶シリコン薄膜トランジスタから構成され前記第１のガラス基板の走査線に電圧を供給する走査線駆動回路を形成し、前記第１のガラス基板の走査線電極端子配列に対応する走査線駆動回路の出力端子配列と、外部回路から供給される信号と電源電圧を入力するための入力端子を有し、前記第１のガラス基板の周辺部の表示画素領域外額縁部の走査線電極端子配列側に搭載されて、前記各出力端子はそれぞれ対応する前記第１のガラス基板の走査線電極に接続される走査線駆動素子と、
長手方向は前記第１のガラス基板の信号線電極端子配列長に応じた長さで幅は４ｍｍ以下とする第１のガラス基板上に多結晶シリコン薄膜トランジスタから構成され前記第１のガラス基板の信号線に電圧を供給する信号線駆動回路を形成し、前記第１のガラス基板の信号線電極端子配列に対応する信号線駆動回路の出力端子配列と、外部回路から供給される信号と電源電圧を入力するための入力端子を有し、前記第１のガラス基板の信号線電極端子配列側の額縁部に搭載されて、前記各出力端子はそれぞれ対応する前記第１のガラス基板の信号線電極に接続される信号線駆動素子とから構成され、
外部回路から前記走査線駆動素子と前記信号線駆動素子と前記第１のガラス基板と前記第２のガラス基板に信号と電源電圧を供給し、前記第１のガラス基板の走査線電極端子配列側額縁部ならびに信号線電極端子配列側額縁部の幅よりも広い幅を有するフレキシブルフラットケーブルを接続するための外部回路接続用端子を前記第１のガラス基板の額縁部に形成した構成とする表示装置において、
走査線駆動素子と信号線駆動素子のうち一方の駆動素子の出力端子配列を設けた辺と相対する辺に入力端子を形成し、該一方の駆動素子の入力端子を設けた辺と隣接する辺を、前記他方の駆動素子の出力端子配列を設けた辺と相対する辺とほぼ一直線上又はほぼ平行に位置する構成とし、他方の駆動素子の出力端子配列を設けた辺又は／及びその辺と相対する辺に入力端子を形成し、前記外部回路接続用端子から前記他方の駆動素子の入力端子までの配線を前記一方の駆動素子内部に形成し、さらに、前記外部回路接続用端子の配列を、前記一方の駆動素子の搭載された額縁部上で、前記一方の駆動素子の入力端子の形成された辺と、平行かつ３ｍｍ以内の位置に形成することにより、前記駆動素子及び前記外部回路接続用端子を搭載した額縁部の幅寸法を７ｍｍ以下の構造としたことを特徴とする３インチ以上の液晶表示装置。
【請求項１９】
前記外部回路接続用端子を、一方の駆動素子の搭載された額縁部上で、他方の駆動素子に最も近い領域に形成したことを特徴とする請求項１５から１８のいずれか１つに記載の液晶表示装置。
【請求項２０】
前記外部回路接続用端子を、一方の駆動素子の搭載された額縁部上で、該額縁部のほぼ中央に形成したことを特徴とする請求項１５から１８のいずれか１つに記載の液晶表示装置。
【請求項２１】
前記外部回路接続用端子を、一方の駆動素子の搭載された額縁部上で、他方の駆動素子から最も遠い領域に形成したことを特徴とする請求項１５から１８のいずれか１つに記載の液晶表示装置。
【請求項２２】
表示画素電極に電圧を印加する複数個の薄膜トランジスタと、前記薄膜トランジスタを選択する４８０本以上の走査線と、該走査線と電気的に接続し一辺に複数個配列された走査線電極端子配列と、前記走査線と直行する６４０本以上の信号線と、該信号線と電気的に接続し一辺に複数個配列された信号線電極端子配列とを表面に形成する第１のガラス基板と、
前記表示画素電極の対向電極を表面に形成し、液晶層をはさんで前記第１のガラス基板と対向する第２のガラス基板と、
長手方向は前記第１のガラス基板の走査線電極端子配列長に応じた長さで幅は４ｍｍ以下とする第１のガラス基板上に、多結晶シリコン薄膜トランジスタから構成され前記第１のガラス基板の走査線に電圧を供給する走査線駆動回路を形成し、前記第１のガラス基板の走査線電極端子配列に対応する走査線駆動回路の出力端子配列と、外部回路から供給される信号と電源電圧を入力するための入力端子を有し、前記第１のガラス基板の周辺部の表示画素領域外の額縁部の走査線電極端子配列側に搭載されて、前記各出力端子はそれぞれ対応する前記第１のガラス基板の走査線電極に接続される走査線駆動素子と、
長手方向は前記第１のガラス基板の信号線電極端子配列長に応じた長さで幅は４ｍｍ以下とする第１のガラス基板上に多結晶シリコン薄膜トランジスタから構成され前記第１のガラス基板の信号線に電圧を供給する信号線駆動回路を形成し、前記第１のガラス基板の信号線電極端子配列に対応する信号線駆動回路の出力端子配列と、外部回路から供給される信号と電源電圧を入力するための入力端子を有し、前記第１のガラス基板の信号線電極端子配列側額縁部に搭載されて、前記各出力端子はそれぞれ対応する前記第１のガラス基板の信号線電極に接続される信号線駆動素子とから構成され、
外部回路から前記走査線駆動素子と前記信号線駆動素子と前記第１のガラス基板と第２のガラス基板に信号と電源電圧を供給し、前記第１のガラス基板の走査線電極端子配列側の額縁部ならびに信号線電極端子配列側の額縁部の幅よりも広い幅を有するフレキシブルフラットケーブルを接続するための外部回路接続用端子を前記第１のガラス基板の額縁部に形成した構成とする表示装置において、
走査線駆動素子と信号線駆動素子のうち一方の駆動素子の出力端子配列を設けた辺と相対する辺に入力端子を形成し、他方の駆動素子の出力端子配列を設けた辺と隣接する辺に入力端子を形成し、該他方の駆動素子の入力端子を設けた辺を前記一方の駆動素子の入力端子を設けた辺とほぼ一直線上又はほぼ平行に位置する構成とし、さらに、前記外部回路接続用端子の配列を、前記一方の駆動素子の搭載された額縁部上で、前記一方の駆動素子の入力端子の形成された辺および前記他方の駆動素子の入力端子を形成した辺と、平行かつ３ｍｍ以内の位置に形成することにより、前記駆動素子及び前記外部回路接続用端子を搭載した額縁部の幅寸法を７ｍｍ以下の構造としたことを特徴とする液晶表示装置。
【請求項２３】
表示画素電極に電圧を印加する複数個の薄膜トランジスタと、前記薄膜トランジスタを選択する４８０本以上の走査線と、該走査線と電気的に接続し一辺に複数個配列された走査線電極端子配列と、前記走査線と直行する６４０本以上の信号線と、該信号線と電気的に接続し一辺に複数個配列された信号線電極端子配列とを表面に形成する第１のガラス基板と、
前記表示画素電極の対向電極を表面に形成し、液晶層をはさんで前記第１のガラス基板と対向する第２のガラス基板と、
長手方向は前記第１のガラス基板の走査線電極端子配列長に応じた長さで幅は４ｍｍ以下とする第１のガラス基板上に、多結晶シリコン薄膜トランジスタから構成され前記第１のガラス基板の走査線に電圧を供給する走査線駆動回路を形成し、前記第１のガラス基板の走査線電極端子配列に対応する走査線駆動回路の出力端子配列と、外部回路から供給される信号と電源電圧を入力するための入力端子を有し、前記第１のガラス基板の額縁部の走査線電極端子配列側に搭載されて、前記各出力端子はそれぞれ対応する前記第１のガラス基板の走査線電極に接続される走査線駆動素子と、
長手方向は前記第１のガラス基板の信号線電極端子配列長に応じた長さで幅は４ｍｍ以下とする第１のガラス基板上に多結晶シリコン薄膜トランジスタから構成され前記第１のガラス基板の信号線に電圧を供給する信号線駆動回路を形成し、前記第１のガラス基板の信号線電極端子配列に対応する信号線駆動回路の出力端子配列と、外部回路から供給される信号と電源電圧を入力するための入力端子を有し、前記第１のガラス基板の信号線電極端子配列側の額縁部に搭載されて、前記各出力端子はそれぞれ対応する前記第１のガラス基板の信号線電極に接続される信号線駆動素子とから構成され、
外部回路から前記走査線駆動素子と前記信号線駆動素子と前記第１のガラス基板と第２のガラス基板に信号と電源電圧を供給し、前記第１のガラス基板の走査線電極端子配列側額縁部ならびに信号線電極端子配列側額縁部の幅よりも広い幅を有するフレキシブルフラットケーブルを接続するための外部回路接続用端子を前記第１のガラス基板の額縁部に形成した構成とする表示装置において、
走査線駆動素子と信号線駆動素子のうち一方の駆動素子の出力端子配列を設けた辺と相対する辺に入力端子を形成し、他方の駆動素子の出力端子配列を設けた辺又は／及びその辺と相対する辺に入力端子を形成し、該他方の駆動素子の出力端子配列を設けた辺と隣接する辺を前記一方の駆動素子の入力端子を設けた辺とほぼ一直線上又はほぼ平行に位置する構成とし、さらに、前記外部回路接続用端子の配列を、前記一方の駆動素子の搭載された額縁部上で、前記一方の駆動素子の入力端子を形成した辺と、平行かつ３ｍｍ以内の位置に形成することにより、前記駆動素子及び前記外部回路接続用端子を搭載した額縁部の幅寸法を７ｍｍ以下の構造としたことを特徴とする液晶表示装置。
【請求項２４】
表示画素電極に電圧を印加する複数個の薄膜トランジスタと、前記薄膜トランジスタを選択する４８０本以上の走査線と、該走査線と電気的に接続し一辺に複数個配列された走査線電極端子配列と、前記走査線と直行する６４０本以上の信号線と、該信号線と電気的に接続し一辺に複数個配列された信号線電極端子配列とを表面に形成する第１のガラス基板と、
前記表示画素電極の対向電極を表面に形成し、液晶層をはさんで前記第１のガラス基板と対向する第２のガラス基板と、
長手方向は前記第１のガラス基板の走査線電極端子配列長に応じた長さで幅は４ｍｍ以下とする第１のガラス基板上に、多結晶シリコン薄膜トランジスタから構成され前記第１のガラス基板の走査線に電圧を供給する走査線駆動回路を形成し、前記第１のガラス基板１の走査線電極端子配列に対応する走査線駆動回路の出力端子配列と、外部回路から供給される信号と電源電圧を入力するための入力端子を有し、前記第１のガラス基板の額縁部の走査線電極端子配列側に搭載されて、前記各出力端子はそれぞれ対応する前記第１のガラス基板の走査線電極に接続される走査線駆動素子と、
長手方向は前記第１のガラス基板の信号線電極端子配列長に応じた長さで幅は４ｍｍ以下とする第１のガラス基板上に多結晶シリコン薄膜トランジスタから構成され前記第１のガラス基板の信号線に電圧を供給する信号線駆動回路を形成し、前記第１のガラス基板の信号線電極端子配列に対応する信号線駆動回路の出力端子配列と、外部回路から供給される信号と電源電圧を入力するための入力端子を有し、前記第１のガラス基板の信号線電極端子配列側の額縁部に搭載されて、前記各出力端子はそれぞれ対応する前記第１のガラス基板の信号線電極に接続される信号線駆動素子とから構成され、
外部回路から前記走査線駆動素子と前記信号線駆動素子と前記第１のガラス基板と第２のガラス基板に信号と電源電圧を供給し、前記第１のガラス基板の走査線電極端子配列側の額縁部ならびに信号線電極端子配列側の額縁部の幅よりも広い幅を有するフレキシブルフラットケーブルを接続するための外部回路接続用端子を前記第１のガラス基板の額縁部に形成した構成とする表示装置において、
走査線駆動素子と信号線駆動素子のうち一方の駆動素子の出力端子配列を設けた辺と相対する辺に入力端子を形成し、該一方の駆動素子の入力端子を設けた辺と隣接する辺を、前記他方の駆動素子の出力端子配列を設けた辺と相対する辺とほぼ一直線上又はほぼ平行に位置する構成とし、他方の駆動素子の出力端子配列を設けた辺と隣接する辺に入力端子を形成し、前記外部回路接続用端子から前記他方の駆動素子の入力端子までの配線を前記一方の駆動素子内部に形成し、さらに、前記外部回路接続用端子の配列を、前記一方の駆動素子の搭載された額縁部上で、前記一方の駆動素子の入力端子の形成された辺と、平行かつ３ｍｍ以内の位置に形成することにより、前記駆動素子及び前記外部回路接続用端子を搭載した額縁部の幅寸法を７ｍｍ以下の構造としたことを特徴とする液晶表示装置。
【請求項２５】
表示画素電極に電圧を印加する複数個の薄膜トランジスタと、前記薄膜トランジスタを選択する４８０本以上の走査線と、該走査線と電気的に接続し一辺に複数個配列された走査線電極端子配列と、前記走査線と直行する６４０本以上の信号線と、該信号線と電気的に接続し一辺に複数個配列された信号線電極端子配列とを表面に形成する第１のガラス基板と、
前記表示画素電極の対向電極を表面に形成し、液晶層をはさんで前記第１のガラス基板と対向する第２のガラス基板と、
長手方向は前記第１のガラス基板の走査線電極端子配列長に応じた長さで幅は４ｍｍ以下とする第１のガラス基板上に、多結晶シリコン薄膜トランジスタから構成され前記第１のガラス基板の走査線に電圧を供給する走査線駆動回路を形成し、前記第１のガラス基板の走査線電極端子配列に対応する走査線駆動回路の出力端子配列と、外部回路から供給される信号と電源電圧を入力するための入力端子を有し、前記第１のガラス基板の周辺部の表示画素領域外額縁部の走査線電極端子配列側に搭載されて、前記各出力端子はそれぞれ対応する前記第１のガラス基板の走査線電極に接続される走査線駆動素子と、
長手方向は前記第１のガラス基板の信号線電極端子配列長に応じた長さで幅は４ｍｍ以下とする第１のガラス基板上に多結晶シリコン薄膜トランジスタから構成され前記第１のガラス基板の信号線に電圧を供給する信号線駆動回路を形成し、前記第１のガラス基板の信号線電極端子配列に対応する信号線駆動回路の出力端子配列と、外部回路から供給される信号と電源電圧を入力するための入力端子を有し、前記第１のガラス基板の信号線電極端子配列側の額縁部に搭載されて、前記各出力端子はそれぞれ対応する前記第１のガラス基板の信号線電極に接続される信号線駆動素子とから構成され、
外部回路から前記走査線駆動素子と前記信号線駆動素子と前記第１のガラス基板１と第２のガラス基板２に信号と電源電圧を供給し、前記第１のガラス基板の走査線電極端子配列側額縁部ならびに信号線電極端子配列側額縁部の幅よりも広い幅を有するフレキシブルフラットケーブルを接続するための外部回路接続用端子を前記第１のガラス基板の額縁部に形成した構成とする表示装置において、
走査線駆動素子と信号線駆動素子のうち一方の駆動素子の出力端子配列を設けた辺と相対する辺に入力端子を形成し、該一方の駆動素子の入力端子を設けた辺と隣接する辺を、前記他方の駆動素子の出力端子配列を設けた辺と相対する辺とほぼ一直線上又はほぼ平行に位置する構成とし、他方の駆動素子の出力端子配列を設けた辺又は／及びその辺と相対する辺に入力端子を形成し、前記外部回路接続用端子から前記他方の駆動素子の入力端子までの配線を前記一方の駆動素子内部に形成し、さらに、前記外部回路接続用端子の配列を、前記一方の駆動素子の搭載された額縁部上で、前記一方の駆動素子の入力端子の形成された辺と、平行かつ３ｍｍ以内の位置に形成することにより、前記駆動素子及び前記外部回路接続用端子を搭載した額縁部の幅寸法を７ｍｍ以下の構造としたことを特徴とする液晶表示装置。
【請求項２６】
前記外部回路接続用端子を、一方の駆動素子の搭載された額縁部上で、他方の駆動素子に最も近い領域に形成したことを特徴とする請求項２２から２５のいずれか１つに記載の液晶表示装置。
【請求項２７】
前記外部回路接続用端子を、一方の駆動素子の搭載された額縁部上で、該額縁部のほぼ中央に形成したことを特徴とする請求項２２から２５のいずれか１つに記載の液晶表示装置。
【請求項２８】
前記外部回路接続用端子を、一方の駆動素子の搭載された額縁部上で、他方の駆動素子から最も遠い領域に形成したことを特徴とする請求項２２から２５のいずれか１つに記載の液晶表示装置。
【請求項２９】
マトリクス状に配列された複数個の表示画素と、前記表示画素を選択する複数本の走査線と、該走査線と電気的に接続し一辺に複数個配列された走査線電極端子配列と、前記走査線と直行し前記表示画素を選択する複数本の信号線と、該信号線と電気的に接続し一辺に複数個配列された信号線電極端子配列とを表面に形成するガラス基板と、
長手方向は前記ガラス基板の走査線電極端子配列長に応じた長さのガラス基板上に、多結晶シリコン薄膜トランジスタから構成され前記ガラス基板の走査線に電圧を供給する走査線駆動回路を形成し、前記ガラス基板の走査線電極端子配列に対応する走査線駆動回路の出力端子配列と、外部回路から供給される信号と電源電圧を入力するための入力端子を有し、前記ガラス基板の周辺部の表示画素領域外の額縁部の走査線電極端子配列側に搭載されて、前記各出力端子はそれぞれ対応する前記ガラス基板の走査線電極に接続される走査線駆動素子と、
長手方向は前記ガラス基板の信号線電極端子配列長に応じた長さのガラス基板上に多結晶シリコン薄膜トランジスタから構成され前記ガラス基板の信号線に電圧を供給する信号線駆動回路を形成し、前記ガラス基板の信号線電極端子配列に対応する信号線駆動回路の出力端子配列と、外部回路から供給される信号と電源電圧を入力するための入力端子を有し、前記ガラス基板の信号線電極端子配列側の額縁部に搭載されて、前記各出力端子はそれぞれ対応する前記ガラス基板の信号線電極に接続される信号線駆動素子とから構成され、
外部回路から前記走査線駆動素子と前記信号線駆動素子と前記ガラス基板に信号と電源電圧を供給し、前記ガラス基板の走査線電極端子配列側の額縁部ならびに信号線電極端子配列側の額縁部の幅よりも広い幅を有するフレキシブルフラットケーブルを接続するための外部回路接続用端子を前記ガラス基板の額縁部に形成した構成とする表示装置において、
走査線駆動素子と信号線駆動素子のうち一方の駆動素子の出力端子配列を設けた辺と相対する辺に入力端子を形成し、他方の駆動素子の出力端子配列を設けた辺と隣接する辺に入力端子を形成し、該他方の駆動素子の入力端子を設けた辺を前記一方の駆動素子の入力端子を設けた辺とほぼ一直線上又はほぼ平行に位置する構成とし、さらに、前記外部回路接続用端子の配列を、前記一方の駆動素子の搭載された額縁部上で、前記一方の駆動素子の入力端子の形成された辺および前記他方の駆動素子の入力端子を形成した辺と平行の位置に形成する構造としたことを特徴とする表示装置。
【請求項３０】
マトリクス状に配列された複数個の表示画素と、前記表示画素を選択する複数本の走査線と、該走査線と電気的に接続し一辺に複数個配列された走査線電極端子配列と、前記走査線と直行し前記表示画素を選択する複数本の信号線と、該信号線と電気的に接続し一辺に複数個配列された信号線電極端子配列とを表面に形成するガラス基板と、
長手方向は前記ガラス基板の走査線電極端子配列長に応じた長さのガラス基板上に、多結晶シリコン薄膜トランジスタから構成され前記ガラス基板の走査線に電圧を供給する走査線駆動回路を形成し、前記ガラス基板の走査線電極端子配列に対応する走査線駆動回路の出力端子配列と、外部回路から供給される信号と電源電圧を入力するための入力端子を有し、前記ガラス基板の額縁部の走査線電極端子配列側に搭載されて、前記各出力端子はそれぞれ対応する前記ガラス基板の走査線電極に接続される走査線駆動素子と、
長手方向は前記ガラス基板の信号線電極端子配列長に応じた長さのガラス基板上に多結晶シリコン薄膜トランジスタから構成され前記ガラス基板の信号線に電圧を供給する信号線駆動回路を形成し、前記ガラス基板の信号線電極端子配列に対応する信号線駆動回路の出力端子配列と、外部回路から供給される信号と電源電圧を入力するための入力端子を有し、前記ガラス基板の信号線電極端子配列側額縁部に搭載されて、前記各出力端子はそれぞれ対応する前記ガラス基板の信号線電極に接続される信号線駆動素子とから構成され、
外部回路から前記走査線駆動素子と前記信号線駆動素子と前記ガラス基板に信号と電源電圧を供給し、前記ガラス基板の走査線電極端子配列側額縁部ならびに信号線電極端子配列側額縁部の幅よりも広い幅を有するフレキシブルフラットケーブルを接続するための外部回路接続用端子を前記ガラス基板の額縁部に形成した構成とする表示装置において、
走査線駆動素子と信号線駆動素子のうち一方の駆動素子の出力端子配列を設けた辺と相対する辺に入力端子を形成し、他方の駆動素子の出力端子配列を設けた辺、又は／及びその辺と相対する辺に入力端子を形成し、該他方の駆動素子の出力端子配列を設けた辺と隣接する辺を前記一方の駆動素子の入力端子を設けた辺とほぼ一直線上又はほぼ平行に位置する構成とし、さらに、前記外部回路接続用端子の配列を、前記一方の駆動素子の搭載された額縁部上で、前記一方の駆動素子の入力端子を形成した辺と平行の位置に形成する構造としたことを特徴とする表示装置。
【請求項３１】
マトリクス状に配列された複数個の表示画素と、前記表示画素を選択する複数本の走査線と、該走査線と電気的に接続し一辺に複数個配列された走査線電極端子配列と、前記走査線と直行し前記表示画素を選択する複数本の信号線と、該信号線と電気的に接続し一辺に複数個配列された信号線電極端子配列とを表面に形成するガラス基板と、
長手方向は前記ガラス基板の走査線電極端子配列長に応じた長さのガラス基板上に、多結晶シリコン薄膜トランジスタから構成され前記ガラス基板の走査線に電圧を供給する走査線駆動回路を形成し、前記ガラス基板の走査線電極端子配列に対応する走査線駆動回路の出力端子配列と、外部回路から供給される信号と電源電圧を入力するための入力端子を有し、前記ガラス基板の額縁部の走査線電極端子配列側に搭載されて、前記各出力端子はそれぞれ対応する前記ガラス基板の走査線電極に接続される走査線駆動素子と、
長手方向は前記ガラス基板の信号線電極端子配列長に応じた長さのガラス基板上に多結晶シリコン薄膜トランジスタから構成され前記ガラス基板の信号線に電圧を供給する信号線駆動回路を形成し、前記ガラス基板の信号線電極端子配列に対応する信号線駆動回路の出力端子配列と、外部回路から供給される信号と電源電圧を入力するための入力端子を有し、前記ガラス基板の信号線電極端子配列側の額縁部に搭載されて、前記各出力端子はそれぞれ対応する前記ガラス基板の信号線電極に接続される信号線駆動素子とから構成され、
外部回路から前記走査線駆動素子と前記信号線駆動素子と前記ガラス基板に信号と電源電圧を供給し、前記ガラス基板の走査線電極端子配列側の額縁部ならびに信号線電極端子配列側の額縁部の幅よりも広い幅を有するフレキシブルフラットケーブルを接続するための外部回路接続用端子を前記ガラス基板の額縁部に形成した構成とする表示装置において、
走査線駆動素子と信号線駆動素子のうち一方の駆動素子の出力端子配列を設けた辺と相対する辺に入力端子を形成し、該一方の駆動素子の入力端子を設けた辺と隣接する辺を、前記他方の駆動素子の出力端子配列を設けた辺と相対する辺とほぼ一直線上又はほぼ平行に位置する構成とし、他方の駆動素子の出力端子配列を設けた辺と隣接する辺に入力端子を形成し、前記外部回路接続用端子から前記他方の駆動素子の入力端子までの配線を前記一方の駆動素子内部に形成し、さらに、前記外部回路接続用端子の配列を、前記一方の駆動素子の搭載された額縁部上で、前記一方の駆動素子の入力端子の形成された辺と、平行の位置に形成する構造としたことを特徴とする表示装置。
【請求項３２】
マトリクス状に配列された複数個の表示画素と、前記表示画素を選択する複数本の走査線と、該走査線と電気的に接続し一辺に複数個配列された走査線電極端子配列と、前記走査線と直行し前記表示画素を選択する複数本の信号線と、該信号線と電気的に接続し一辺に複数個配列された信号線電極端子配列とを表面に形成するガラス基板と、
長手方向は前記ガラス基板の走査線電極端子配列長に応じた長さのガラス基板上に、多結晶シリコン薄膜トランジスタから構成され前記ガラス基板の走査線に電圧を供給する走査線駆動回路を形成し、前記ガラス基板の走査線電極端子配列に対応する走査線駆動回路の出力端子配列と、外部回路から供給される信号と電源電圧を入力するための入力端子を有し、前記ガラス基板の周辺部の表示画素領域外額縁部の走査線電極端子配列側に搭載されて、前記各出力端子はそれぞれ対応する前記ガラス基板の走査線電極に接続される走査線駆動素子と、
長手方向は前記ガラス基板の信号線電極端子配列長に応じた長さのガラス基板上に多結晶シリコン薄膜トランジスタから構成され前記ガラス基板の信号線に電圧を供給する信号線駆動回路を形成し、前記ガラス基板の信号線電極端子配列に対応する信号線駆動回路の出力端子配列と、外部回路から供給される信号と電源電圧を入力するための入力端子を有し、前記ガラス基板の信号線電極端子配列側の額縁部に搭載されて、前記各出力端子はそれぞれ対応する前記ガラス基板の信号線電極に接続される信号線駆動素子とから構成され、
外部回路から前記走査線駆動素子と前記信号線駆動素子と前記ガラス基板に信号と電源電圧を供給し、前記ガラス基板の走査線電極端子配列側額縁部ならびに信号線電極端子配列側額縁部の幅よりも広い幅を有するフレキシブルフラットケーブルを接続するための外部回路接続用端子を前記ガラス基板の額縁部に形成した構成とする表示装置において、
走査線駆動素子と信号線駆動素子のうち一方の駆動素子の出力端子配列を設けた辺と相対する辺に入力端子を形成し、該一方の駆動素子の入力端子を設けた辺と隣接する辺を、前記他方の駆動素子の出力端子配列を設けた辺と相対する辺とほぼ一直線上又はほぼ平行に位置する構成とし、他方の駆動素子の出力端子配列を設けた辺、又は／及びその辺と相対する辺に入力端子を形成し、前記外部回路接続用端子から前記他方の駆動素子の入力端子までの配線を前記一方の駆動素子内部に形成し、さらに、前記外部回路接続用端子の配列を、前記一方の駆動素子の搭載された額縁部上で、前記一方の駆動素子の入力端子の形成された辺と、平行の位置に形成する構造としたことを特徴とする表示装置。
【請求項３３】
前記外部回路接続用端子を、一方の駆動素子の搭載された額縁部上で、他方の駆動素子に最も近い領域に形成したことを特徴とする請求項２９から３２のいずれか１つに記載の表示装置。
【請求項３４】
前記外部回路接続用端子を、一方の駆動素子の搭載された額縁部上で、該額縁部のほぼ中央に形成したことを特徴とする請求項２９から３２のいずれか１つに記載の表示装置。
【請求項３５】
前記外部回路接続用端子を、一方の駆動素子の搭載された額縁部上で、他方の駆動素子から最も遠い領域に形成したことを特徴とする請求項２９から３２のいずれか１つに記載の表示装置。
【発明の詳細な説明】
【技術分野】
【０００１】
本発明は、表示装置および液晶表示装置に関し、特に、半導体駆動素子と外部回路接続用ＦＰＣケーブルを搭載した額縁部の省スペース化を実現する表示装置および液晶表示装置に関する。
【背景技術】
【０００２】
近年の技術の発展に伴い、２枚のガラス基板で液晶層を挟み封止して成る液晶表示パネルにおいて、一方のガラス基板の周辺部の表示画素領域外で、かつ、対向する他方のガラス基板に覆われていない領域（以降、この領域を額縁部と呼ぶ）に駆動素子を実装した液晶表示装置が実用化されている。
【０００３】
例えば、特許文献１の図１に記載されている従来の液晶表示装置では、液晶表示パネルの少なくとも一つの額縁部に、少なくとも一つの半導体チップを搭載するとともに、外部に対する接続用端子電極の複数個を形成し、前記半導体チップと各接続用端子とを、前記額縁部の長手方向に並べて設けた構成を採用している。
【０００４】
この従来の液晶表示装置は、液晶を封入するように互いに貼り合わせて成る二枚の透明基板を有し、前記半導体チップには、両透明基板における多数本の画素用透明電極を表示駆動するためのドライバアナログ回路と、これに対する制御回路及び／又は記憶回路等から成るロジック回路とが形成されている。また、前記接続用端子電極には、フレキシブルフラットケーブル（ＦＰＣケーブル）が接続される。更に、前記額縁部には、前記半導体チップと両透明基板における各画素用透明電極とを接続する多数本のパターン配線が形成されている。
【０００５】
このように、額縁部に、半導体チップと各接続用端子電極とを、額縁部の長手方向に並べて配置することにより、額縁部における幅寸法を、従来のように、これら半導体チップ及び各接続用端子電極を額縁部の幅方向に並べて設ける場合よりも小さくすることができる。
【０００６】
しかしながら、この特許文献１に開示された液晶表示装置には以下の問題がある。
【０００７】
第１の問題点は、ＶＧＡ以上の液晶パネルに適用したとき、液晶表示装置のコストが高くなるということである。この原因は、半導体チップのコストが高くなることに起因する。その理由は、端子ピッチ５０μｍでＶＧＡ対応の信号線駆動素子を作る場合、長さは９６ｍｍ以上となり、１枚のシリコンウェハから製造できる半導体チップ数の歩留まりが悪くなるためである。
【０００８】
第２の問題点は、３インチ以上の液晶パネルに適用したとき、額縁部の幅が広くなるということである。この原因は、半導体チップと液晶パネル間の配線スペースが大きくなることに起因する。その理由は以下の通りである。半導体チップの長さを２０ｍｍ、半導体チップの出力端子ピッチを５０μｍ、液晶パネルの最小配線ピッチを８μｍとし、額縁の中央に半導体チップを搭載した場合、３インチの液晶パネルの横寸法が６１ｍｍであることから、液晶パネルの縁端部から半導体チップの縁端部までの額縁部長さ方向の寸法は２０．５ｍｍとなる。ここで、液晶パネルの縁端部の端子から半導体チップの縁端部の端子まで斜めに配線したとして、最小配線ピッチ８μｍを確保するためには、半導体チップの出力端子ピッチを５０μｍであることから９．２°以上の角度が必要となり、液晶パネルの縁端部から半導体チップの縁端部までの額縁部幅方向の寸法は３．３ｍｍ以上が必要となるためである。
【０００９】
第３の問題点は、２つの額縁部にそれぞれ走査線駆動素子と信号線駆動素子を搭載した構成としたとき、液晶表示装置のコストが高くなるということである。この原因は、ＦＰＣケーブルの部品代と実装コストがかかることに起因する。その理由は、各額縁部に搭載した各駆動素子に対してそれぞれＦＰＣケーブルを接続するためである。
【００１０】
これらの問題を解決するため、表示パネルの縦寸法又は／及び横寸法と同サイズのガラス基板上に薄膜トランジスタで駆動回路を構成した駆動素子を形成し、走査線駆動素子を搭載した額縁部と信号線駆動素子を搭載した額縁部に挟まれるコーナー部に外部回路接続用端子を設け、その端子部から走査線駆動素子の入力端子と信号線駆動素子の入力端子の両方に接続される配線を有する構成とした液晶表示装置が提案されている。
【００１１】
例えば、特許文献２の第２図に記載されている従来の液晶表示装置では、ガラス基板上に薄膜トランジスタで走査線駆動回路を構成した走査線駆動素子と、同じくガラス基板上に薄膜トランジスタで信号線駆動回路を構成した信号線駆動素子を、液晶表示パネルの額縁部に搭載する構成を採用している。
【００１２】
この従来の液晶表示装置の液晶表示パネルは、図１９及び図２０に示すように、表示画素電極に電圧を印加する複数個の薄膜トランジスタと、前記薄膜トランジスタを選択する複数本の走査線と、前記走査線と直行する複数本の信号線、を表面に形成するガラス基板１と、前記表示画素電極の対向電極を表面に形成し、液晶層をはさんで前記ガラス基板１と対向するガラス基板２とから構成され、前記ガラス基板１の一辺には複数個配列された走査線電極配列と、前記ガラス基板１の走査線電極が配列された辺と隣接する他の一辺には複数個配列された信号線電極配列を有している。
【００１３】
また、この従来の液晶表示装置の走査線駆動素子は、前記液晶表示パネルのガラス基板１の走査線電極配列側額縁部に搭載されて、前記ガラス基板１の走査線電極配列に対応する駆動回路の出力端子配列を有し、さらに各出力端子はそれぞれ対応する走査線電極に接続されている。同様に、この従来の液晶表示装置の信号線駆動素子は、前記液晶表示パネルのガラス基板１の信号線電極配列側の額縁部に搭載されて、前記ガラス基板１の信号線電極配列に対応する駆動回路の出力端子配列を有し、さらに各出力端子はそれぞれ対応する信号査線電極に接続されている。
【００１４】
また、各駆動素子の基板の一端縁部には、駆動回路から導出した入力端子が形成されており、この入力端子は、前記ガラス基板１のコーナー部に配線した外部回路接続用中継配線に半田等によって接続されている。また、前記ガラス基板１のコーナー部の一端縁部にはこの外部回路接続用中継配線と電気的に接続した外部回路接続用端子が配列されている。
【００１５】
【特許文献１】特開２００２−１３１７７２公報  （第５頁、図１）
【特許文献２】特許第３０３３１２４号公報  （第５頁、第２図）
【発明の開示】
【発明が解決しようとする課題】
【００１６】
しかしながら、この特許文献２に開示された液晶表示装置にはいくつかの問題がある。
【００１７】
第１の問題点は、額縁部の幅寸法を小さくできないということである。この原因は、外部回路接続用のＦＰＣケーブルの幅に起因する。その理由は、以下の通りである。近年の技術の発展に伴い、駆動素子の幅は４ｍｍ以下に狭幅化された。走査線駆動素子と信号線駆動素子には４系統の電源とＧＮＤ、１８本の映像信号、１０本の階調電圧、１６本の制御信号、２本のクロック信号と、液晶表示パネルの表示画素電極の対向電極に供給する電源を必要とする。
【００１８】
ここで、配線幅４０μｍ、配線ピッチ８０μｍ、配線厚９μｍの銅配線を有し、長さ１０ｃｍのＦＰＣケーブルを外部回路接続用に用いたとして、４系統の電源と対向電極用電源には５０ｍＡの電流が流れるとし、ＦＰＣケーブルでの電圧降下を０．０２Ｖ以下に抑えるためには、銅配線の抵抗率は１．７ｘ１０−８［Ω・ｍ］であることから、各電源は１２本以上の配線が必要となる。また、ＧＮＤには１００ｍＡの電流が流れるとし、同様にＦＰＣケーブルでの電圧降下を０．０２Ｖ以下にするためには、ＧＮＤは２４本以上の配線が必要となる。これより、ＦＰＣケーブルの銅配線は全部で１３０本以上となるため、ＦＰＣケーブルの幅は１０．４ｍｍ以上となる。従って、駆動素子の幅は４ｍｍ以下に短くなっても、ＦＰＣケーブルの幅がこれよりも大きく、外部回路接続用ＦＰＣケーブルを接続するために額縁部の幅寸法を広げなくてはならない。
【００１９】
第２の問題点は、駆動素子に入力する電源電圧が降下してしまうことである。この原因は、外部回路接続用端子から駆動素子の入力端子までの配線インピーダンスに起因する。その理由は、一般に、製造の容易さやコストを下げる目的で、ガラス基板上に用いる配線は銅配線よりも抵抗率の高い、アルミ配線やクロム配線を用い、外部回路接続用端子から駆動素子の入力端子までの配線が長く、かつ、配線本数が多く配線幅を広くできないためである。
【００２０】
第３の問題点は、駆動素子を実装する際の端子の位置合わせが難しくなるということである。この原因は、駆動素子の短辺と長辺に接続用端子を有する構成に起因する。その理由は、近年の技術の発展に伴い、駆動素子の幅は４ｍｍ以下に狭幅化されたが、信号線駆動素子の入力信号は４０本以上になるため、入力端子ピッチは１００μｍ以下になる。また、液晶表示パネルの高解像度化に伴い、液晶表示パネルの信号線ピッチも狭ピッチ化し、例えば、１２インチのＸＧＡパネル（１０２４ｘ７６８）では、信号線駆動素子の出力端子ピッチは８０μｍとなる。このように、Ｘ方向、Ｙ方向ともに１００μｍ以下の狭ピッチとなり、正確な位置合わせ精度が求められるためである。
【００２１】
そこで、本発明は、上記従来技術の問題点に鑑みて成されたものであり、本発明の第１の目的は、ドライバＩＣと外部回路接続用ＦＰＣケーブルを搭載する表示パネルの額縁部の省スペース化を実現する表示装置を提供することにある。
【００２２】
本発明の第２の目的は、駆動素子に入力する電源電圧降下を小さくできる表示装置を提供することにある。
【００２３】
本発明の第３の目的は、生産性を向上できる表示装置を提供することにある。
【００２４】
本発明の第４の目的は、信頼性を向上できる表示装置を提供することにある。
【課題を解決するための手段】
【００２５】
本発明では、マトリクス状に配列された複数個の表示画素と、前記表示画素を選択する複数本の走査線と、該走査線と電気的に接続し一辺に複数個配列された走査線電極端子配列と、前記走査線と直行し前記表示画素を選択する複数本の信号線と、該信号線と電気的に接続し一辺に複数個配列された信号線電極端子配列とを表面に形成するガラス基板と、
長手方向は前記ガラス基板の走査線電極端子配列長に応じた長さで幅は４ｍｍ以下とするガラス基板上に、多結晶シリコン薄膜トランジスタから構成され前記ガラス基板の走査線に電圧を供給する走査線駆動回路を形成し、前記ガラス基板の走査線電極端子配列に対応する走査線駆動回路の出力端子配列と、外部回路から供給される信号と電源電圧を入力するための入力端子を有し、前記ガラス基板の周辺部の表示画素領域外の額縁部の走査線電極端子配列側に搭載されて、前記各出力端子はそれぞれ対応する前記ガラス基板の走査線電極に接続される走査線駆動素子と、
長手方向は前記ガラス基板の信号線電極端子配列長に応じた長さで幅は４ｍｍ以下とするガラス基板上に多結晶シリコン薄膜トランジスタから構成され前記ガラス基板の信号線に電圧を供給する信号線駆動回路を形成し、前記ガラス基板の信号線電極端子配列に対応する信号線駆動回路の出力端子配列と、外部回路から供給される信号と電源電圧を入力するための入力端子を有し、前記ガラス基板の信号線電極端子配列側の額縁部に搭載されて、前記各出力端子はそれぞれ対応する前記ガラス基板の信号線電極に接続される信号線駆動素子とから構成され、
外部回路から前記走査線駆動素子と前記信号線駆動素子と前記ガラス基板に信号と電源電圧を供給し、前記ガラス基板の走査線電極端子配列側の額縁部ならびに信号線電極端子配列側の額縁部の幅よりも広い幅を有するフレキシブルフラットケーブルを接続するための外部回路接続用端子を前記ガラス基板の額縁部に形成した構成とする表示装置において、
走査線駆動素子と信号線駆動素子のうち一方の駆動素子の出力端子配列を設けた辺と相対する辺に入力端子を形成し、他方の駆動素子の出力端子配列を設けた辺と隣接する辺に入力端子を形成し、該他方の駆動素子の入力端子を設けた辺を前記一方の駆動素子の入力端子を設けた辺とほぼ一直線上又はほぼ平行に位置する構成とし、さらに、前記外部回路接続用端子の配列を、前記一方の駆動素子の搭載された額縁部上で、前記一方の駆動素子の入力端子の形成された辺および前記他方の駆動素子の入力端子を形成した辺と平行かつ３ｍｍ以内の位置に形成することにより、前記駆動素子及び前記外部回路接続用端子を搭載した額縁部の幅寸法を７ｍｍ以下の構造としたことを特徴とする。
【００２６】
また、本発明では、マトリクス状に配列された複数個の表示画素と、前記表示画素を選択する複数本の走査線と、該走査線と電気的に接続し一辺に複数個配列された走査線電極端子配列と、前記走査線と直行し前記表示画素を選択する複数本の信号線と、該信号線と電気的に接続し一辺に複数個配列された信号線電極端子配列とを表面に形成するガラス基板と、
長手方向は前記ガラス基板の走査線電極端子配列長に応じた長さで幅は４ｍｍ以下とするガラス基板上に、多結晶シリコン薄膜トランジスタから構成され前記ガラス基板の走査線に電圧を供給する走査線駆動回路を形成し、前記ガラス基板の走査線電極端子配列に対応する走査線駆動回路の出力端子配列と、外部回路から供給される信号と電源電圧を入力するための入力端子を有し、前記ガラス基板の額縁部の走査線電極端子配列側に搭載されて、前記各出力端子はそれぞれ対応する前記ガラス基板の走査線電極に接続される走査線駆動素子と、
長手方向は前記ガラス基板の信号線電極端子配列長に応じた長さで幅は４ｍｍ以下とするガラス基板上に多結晶シリコン薄膜トランジスタから構成され前記ガラス基板の信号線に電圧を供給する信号線駆動回路を形成し、前記ガラス基板の信号線電極端子配列に対応する信号線駆動回路の出力端子配列と、外部回路から供給される信号と電源電圧を入力するための入力端子を有し、前記ガラス基板の信号線電極端子配列側額縁部に搭載されて、前記各出力端子はそれぞれ対応する前記ガラス基板の信号線電極に接続される信号線駆動素子とから構成され、
外部回路から前記走査線駆動素子と前記信号線駆動素子と前記ガラス基板に信号と電源電圧を供給し、前記ガラス基板の走査線電極端子配列側額縁部ならびに信号線電極端子配列側額縁部の幅よりも広い幅を有するフレキシブルフラットケーブルを接続するための外部回路接続用端子を前記ガラス基板の額縁部に形成した構成とする表示装置において、
走査線駆動素子と信号線駆動素子のうち一方の駆動素子の出力端子配列を設けた辺と相対する辺に入力端子を形成し、他方の駆動素子の出力端子配列を設けた辺、又は／及びその辺と相対する辺に入力端子を形成し、該他方の駆動素子の出力端子配列を設けた辺と隣接する辺を前記一方の駆動素子の入力端子を設けた辺とほぼ一直線上又はほぼ平行に位置する構成とし、さらに、前記外部回路接続用端子の配列を、前記一方の駆動素子の搭載された額縁部上で、前記一方の駆動素子の入力端子を形成した辺と平行かつ３ｍｍ以内の位置に形成することにより、前記駆動素子及び前記外部回路接続用端子を搭載した額縁部の幅寸法を７ｍｍ以下の構造としたことを特徴とする。
【００２７】
また、本発明では、マトリクス状に配列された複数個の表示画素と、前記表示画素を選択する複数本の走査線と、該走査線と電気的に接続し一辺に複数個配列された走査線電極端子配列と、前記走査線と直行し前記表示画素を選択する複数本の信号線と、該信号線と電気的に接続し一辺に複数個配列された信号線電極端子配列とを表面に形成するガラス基板と、
長手方向は前記ガラス基板の走査線電極端子配列長に応じた長さで幅は４ｍｍ以下とするガラス基板上に、多結晶シリコン薄膜トランジスタから構成され前記ガラス基板の走査線に電圧を供給する走査線駆動回路を形成し、前記ガラス基板の走査線電極端子配列に対応する走査線駆動回路の出力端子配列と、外部回路から供給される信号と電源電圧を入力するための入力端子を有し、前記ガラス基板の額縁部の走査線電極端子配列側に搭載されて、前記各出力端子はそれぞれ対応する前記ガラス基板の走査線電極に接続される走査線駆動素子と、
長手方向は前記ガラス基板の信号線電極端子配列長に応じた長さで幅は４ｍｍ以下とするガラス基板上に多結晶シリコン薄膜トランジスタから構成され前記ガラス基板の信号線に電圧を供給する信号線駆動回路を形成し、前記ガラス基板の信号線電極端子配列に対応する信号線駆動回路の出力端子配列と、外部回路から供給される信号と電源電圧を入力するための入力端子を有し、前記ガラス基板の信号線電極端子配列側の額縁部に搭載されて、前記各出力端子はそれぞれ対応する前記ガラス基板の信号線電極に接続される信号線駆動素子とから構成され、
外部回路から前記走査線駆動素子と前記信号線駆動素子と前記ガラス基板に信号と電源電圧を供給し、前記ガラス基板の走査線電極端子配列側の額縁部ならびに信号線電極端子配列側の額縁部の幅よりも広い幅を有するフレキシブルフラットケーブルを接続するための外部回路接続用端子を前記ガラス基板の額縁部に形成した構成とする表示装置において、
走査線駆動素子と信号線駆動素子のうち一方の駆動素子の出力端子配列を設けた辺と相対する辺に入力端子を形成し、該一方の駆動素子の入力端子を設けた辺と隣接する辺を、前記他方の駆動素子の出力端子配列を設けた辺と相対する辺とほぼ一直線上又はほぼ平行に位置する構成とし、他方の駆動素子の出力端子配列を設けた辺と隣接する辺に入力端子を形成し、前記外部回路接続用端子から前記他方の駆動素子の入力端子までの配線を前記一方の駆動素子内部に形成し、さらに、前記外部回路接続用端子の配列を、前記一方の駆動素子の搭載された額縁部上で、前記一方の駆動素子の入力端子の形成された辺と、平行かつ３ｍｍ以内の位置に形成することにより、前記駆動素子及び前記外部回路接続用端子を搭載した額縁部の幅寸法を７ｍｍ以下の構造としたことを特徴とする。
【００２８】
また、本発明では、マトリクス状に配列された複数個の表示画素と、前記表示画素を選択する複数本の走査線と、該走査線と電気的に接続し一辺に複数個配列された走査線電極端子配列と、前記走査線と直行し前記表示画素を選択する複数本の信号線と、該信号線と電気的に接続し一辺に複数個配列された信号線電極端子配列とを表面に形成するガラス基板と、
長手方向は前記ガラス基板の走査線電極端子配列長に応じた長さで幅は４ｍｍ以下とするガラス基板上に、多結晶シリコン薄膜トランジスタから構成され前記ガラス基板の走査線に電圧を供給する走査線駆動回路を形成し、前記ガラス基板の走査線電極端子配列に対応する走査線駆動回路の出力端子配列と、外部回路から供給される信号と電源電圧を入力するための入力端子を有し、前記ガラス基板の周辺部の表示画素領域外額縁部の走査線電極端子配列側に搭載されて、前記各出力端子はそれぞれ対応する前記ガラス基板の走査線電極に接続される走査線駆動素子と、
長手方向は前記ガラス基板の信号線電極端子配列長に応じた長さで幅は４ｍｍ以下とするガラス基板上に多結晶シリコン薄膜トランジスタから構成され前記ガラス基板の信号線に電圧を供給する信号線駆動回路を形成し、前記ガラス基板の信号線電極端子配列に対応する信号線駆動回路の出力端子配列と、外部回路から供給される信号と電源電圧を入力するための入力端子を有し、前記ガラス基板の信号線電極端子配列側の額縁部に搭載されて、前記各出力端子はそれぞれ対応する前記ガラス基板の信号線電極に接続される信号線駆動素子とから構成され、
外部回路から前記走査線駆動素子と前記信号線駆動素子と前記ガラス基板に信号と電源電圧を供給し、前記ガラス基板の走査線電極端子配列側額縁部ならびに信号線電極端子配列側額縁部の幅よりも広い幅を有するフレキシブルフラットケーブルを接続するための外部回路接続用端子を前記ガラス基板の額縁部に形成した構成とする表示装置において、
走査線駆動素子と信号線駆動素子のうち一方の駆動素子の出力端子配列を設けた辺と相対する辺に入力端子を形成し、該一方の駆動素子の入力端子を設けた辺と隣接する辺を、前記他方の駆動素子の出力端子配列を設けた辺と相対する辺とほぼ一直線上又はほぼ平行に位置する構成とし、他方の駆動素子の出力端子配列を設けた辺、又は／及びその辺と相対する辺に入力端子を形成し、前記外部回路接続用端子から前記他方の駆動素子の入力端子までの配線を前記一方の駆動素子内部に形成し、さらに、前記外部回路接続用端子の配列を、前記一方の駆動素子の搭載された額縁部上で、前記一方の駆動素子の入力端子の形成された辺と、平行かつ３ｍｍ以内の位置に形成することにより、前記駆動素子及び前記外部回路接続用端子を搭載した額縁部の幅寸法を７ｍｍ以下の構造としたことを特徴とする。
【００２９】
この場合、例えば、前記外部回路接続用端子を、一方の駆動素子の搭載された額縁部上で、他方の駆動素子に最も近い領域に形成することが好ましい。また、前記外部回路接続用端子を、一方の駆動素子の搭載された額縁部上で、該額縁部のほぼ中央に形成しても良い。さらに、前記外部回路接続用端子を、一方の駆動素子の搭載された額縁部上で、他方の駆動素子から最も遠い領域に形成しても良い。
【００３０】
本発明の表示装置は、長手方向は表示パネルの走査線電極端子配列長に応じた長さで、幅は４ｍｍ以下のガラス基板上に、薄膜トランジスタで構成した走査線駆動回路を形成した走査線駆動素子と、
長手方向は表示パネルの信号線電極端子配列長に応じた長さで、幅は４ｍｍ以下のガラス基板上に、薄膜トランジスタで構成した信号線駆動回路を形成した信号線駆動素子と、
駆動素子の搭載された額縁部の幅寸法よりも幅が広い外部回路接続用ＦＰＣケーブルを接続するための外部回路接続用端子配列とを有し、
２つの駆動素子のうち少なくとも一方の駆動素子は、駆動出力端子の配列された辺と相対する辺に入力端子を有する構成を有し、
前記外部回路接続用端子の形状は長さが１．５ｍｍ以下で、前記外部回路接続用端子の配列は前記駆動素子の入力端子配列から１．５ｍｍ以下で、かつ、前記一方の駆動素子の入力端子配列と平行に形成した構成を有する。
【００３１】
また、外部回路接続用端子と他方の駆動素子の入力端子との間の配線を、前記一方の駆動素子内又は／及び表示パネルのガラス基板上に形成した構成を有する。
【００３２】
長手方向は表示パネルの走査線電極端子配列長または信号線電極端子配列長に応じた長さで、幅は４ｍｍ以下で、駆動出力端子の配列された辺と相対する辺に入力端子を有する駆動素子と、端子形状の長さが１．５ｍｍ以下の外部回路接続用端子を、前記駆動素子の入力端子配列から１．５ｍｍ以下で、かつ、前記駆動素子の入力端子配列と平行に形成した構成とすることにより、額縁部の幅寸法よりも幅が広い外部回路接続用ＦＰＣケーブルを接続しても前記駆動素子を搭載した額縁部の幅寸法を７ｍｍ以下にできる。
【００３３】
また、外部回路接続用端子と前記駆動素子の入力端子の間の配線を１．５ｍｍ以下とすることにより、電源配線のインピーダンスを下げ、前記駆動素子に入力する電源電圧降下を小さくできる。
【００３４】
また、外部回路接続用端子と他方の駆動素子の入力端子との間の配線を、前記駆動素子内又は／及び表示パネルのガラス基板上に形成した構成とすることにより、電源配線のインピーダンスを下げ、走査線駆動素子に入力する電源電圧降下を小さくできる。
【００３５】
また、駆動素子の入力端子を、駆動出力端子の配列された辺と相対する辺に配列する構成にすることにより、位置合わせの精度が要求される方向は一方向だけとなり、生産性ならびに信頼性を向上することができる。
【発明の効果】
【００３６】
本発明の第１の効果は、長手方向は表示パネルの走査線電極端子配列長または信号線電極端子配列長に応じた長さで、幅は４ｍｍ以下で、駆動出力端子の配列された辺と相対する辺に入力端子を有する駆動素子と、端子形状の長さが１．５ｍｍ以下の外部回路接続用端子を、前記駆動素子の入力端子配列から１．５ｍｍ以下で、かつ、前記駆動素子の入力端子配列と平行に形成した構成とすることにより、額縁部の幅寸法よりも幅が広い外部回路接続用ＦＰＣケーブルを接続しても、前記駆動素子を搭載した額縁部の幅寸法を７ｍｍ以下の表示装置を提供することができる。
【００３７】
本発明の第２の効果は、電源配線のインピーダンスを下げるために、外部回路接続用端子と一方の駆動素子の入力端子の間の配線を１．５ｍｍ以下とすることにより、及び、外部回路接続用端子と他方の駆動素子の入力端子の間の配線を、前記一方の駆動素子内又は／及び表示パネルのガラス基板上に形成した構成とすることにより、前記一方の駆動素子と前記他方の駆動素子に入力する電源電圧降下を小さくした表示装置を提供することができる。
【００３８】
本発明の第３の効果は、駆動素子の入力端子を、駆動出力端子の配列された辺の対辺に配列する構成にすることにより、生産性を向上できる液晶表示装置を提供することにある。
【００３９】
本発明の第４の効果は、駆動素子の入力端子を、駆動出力端子の配列された辺の対辺に配列する構成にすることにより、信頼性を向上できる液晶表示装置を提供することにある。
【発明を実施するための最良の形態】
【００４０】
次に、本発明の実施の形態について図面を参照して詳細に説明する。
【００４１】
（第１の実施の形態）
図１参照すると、本発明の第１の実施の形態として液晶表示装置の斜視図が示されている。
【００４２】
従来例の図１９に対応し、従来例（図１９）と同一領域は同一記号で示してある。図２は、図１の円Ａに囲まれた部分を拡大した平面図、図３は図２の一点鎖線ＡＡにおける断面図、図４は図２の一点鎖線ＡＢにおける断面図である。
【００４３】
図において、ガラス基板１は、表示画素電極に電圧を印加する複数個の薄膜トランジスタと、前記薄膜トランジスタを選択する複数本の走査線１６と、前記走査線と直行する複数本の信号線１７を表面に形成し、ガラス基板２は、前記表示画素電極の対向電極３２を表面に形成している。
【００４４】
さらに、ガラス基板１とガラス基板２は液晶３１を封入するように互いに貼り合わされている。前記ガラス基板１の一辺には複数個配列された走査線電極配列と、前記ガラス基板１の走査線電極が配列された辺と隣接する他の一辺には複数個配列された信号線電極配列を有している。走査線駆動素子３は、長手方向は走査線電極端子配列長に応じた長さで、幅は４ｍｍ以下のガラス基板５４の上に、多結晶シリコン薄膜トランジスタから構成され該走査線に電圧を供給する駆動回路５５を形成し、前記ガラス基板１の走査線電極配列に対応する駆動回路の出力端子配列を有し、前記ガラス基板１の走査線電極配列側額縁部に搭載されて、各出力端子１８はそれぞれ対応する走査線電極５９に異方導電性接着フィルム５６により接続されている。
【００４５】
同様に、信号線駆動素子４は、長手方向は信号線電極端子配列長に応じた長さで、幅は４ｍｍ以下のガラス基板３４の上に、多結晶シリコン薄膜トランジスタから構成され該信号線に電圧を供給する駆動回路３５を形成し、前記ガラス基板１の信号線電極配列に対応する駆動回路の出力端子配列２０を有し、前記液晶表示パネルのガラス基板１の信号線電極配列側額縁部に搭載されて、各出力端子２０はそれぞれ対応する信号査線電極３９に異方導電性接着フィルム３６により接続されている。
【００４６】
また、走査線駆動素子３のガラス基板５４の走査線駆動出力端子１８の配列された辺と隣接する辺には、走査線駆動回路５５の入力端子１９が形成され、信号線駆動素子４のガラス基板３４の信号線駆動出力端子２０の配列された辺と相対する辺には、信号線駆動回路３５の入力端子２１が形成されている。さらに、走査線駆動素子３の長手方向は、おおよそ信号線駆動素子４の幅だけ延伸し、走査線駆動素子３の入力端子１９が設けられた辺は、信号線駆動素子４の入力端子２１が設けられた辺とほぼ一直線上にある。
【００４７】
走査線駆動回路５５の入力端子１９と信号線駆動回路３５の入力端子２１は、外部回路接続用ＦＰＣケーブル５が接続される外部回路接続用端子２２、２３とアルミ配線又は／及びクロム配線又は／及び銅配線２４、２５で電気的に接続されている。
【００４８】
ここで、外部回路接続用ＦＰＣケーブル５には、走査線駆動素子と信号線駆動素子に供給する４系統の電源とＧＮＤ、１８本の映像信号、１０本の階調電圧、１６本の制御信号、２本のクロック信号と、液晶表示パネルの表示画素電極の対向電極に供給する電源が配線されている。この配線を、配線幅４０μｍ、配線ピッチ８０μｍ、配線厚９μｍの銅配線とし、ＦＰＣケーブル５の長さを１０ｃｍとしたとき、４系統の電源と対向電極用電源には５０ｍＡの電流が流れるとし、ＦＰＣケーブル５での電圧降下を０．０２Ｖ以下に抑えるためには、銅配線の抵抗率は１．７ｘ１０−８［Ω・ｍ］であることから、各電源は１２本以上の配線が必要となる。
【００４９】
また、ＧＮＤには１００ｍＡの電流が流れるとし、同様にＦＰＣケーブル５での電圧降下を０．０２Ｖ以下にするためには、ＧＮＤは２４本以上の配線が必要となる。これより、ＦＰＣケーブル５の銅配線は全部で１３０本以上となるため、ＦＰＣケーブル５の幅、すなわち、外部回路接続用端子２２、２３の配列の幅Ｗ３は１０．４ｍｍ以上となる。
【００５０】
外部回路接続用端子２２、２３は、信号線駆動素子４の搭載された額縁部の縁端部に配列され、外部回路接続用端子２３と信号線駆動素子４の入力端子２１の間は１．５ｍｍ以下である。また、外部回路接続用ＦＰＣケーブル５の端子４６と外部回路接続用端子２２、２３は異方導電性接着フィルム４５により接続されるが、ある接着強度が求められるため、異方導電性接着フィルム４５の幅、すなわち、外部回路接続用端子２２、２３の長手方向は、１ｍｍ乃至１．５ｍｍの長さを有する。
【００５１】
従って、従来は、外部回路接続用端子２２、２３を、走査線駆動素子３または信号線駆動素子４と並べて設けていたため、額縁部の幅はＦＰＣケーブル５の幅（１０．５ｍｍ）以上が必要であったが、この本実施の形態では、走査線駆動素子３の搭載される額縁部の幅Ｗ１をおおよそ４ｍｍに、信号線駆動素子４の搭載される額縁部の幅Ｗ２を７ｍｍ以下にできるという効果がもたらされる。
【００５２】
しかも、本実施の形態では、外部回路接続用端子２３と信号線駆動素子４の入力端子２１の間と、外部回路接続用端子２２と走査線駆動素子３の入力端子１９の間は、共に１．５ｍｍ以下の構成となっているので、電源配線のインピーダンスを下げ、電源電圧の降下を小さくできるという効果が得られる。
【００５３】
さらに、本実施の形態では、信号線駆動素子４の入力端子２１を、信号線駆動出力端子２０の配列された辺と相対する辺に配列する構成となっているので、信号線駆動素子４の位置合わせの精度が要求される方向は信号線駆動素子４の長さＬ２方向だけとなり、生産性ならびに信頼性を向上することができる。
【００５４】
（第２の実施の形態）
上記第１の実施の形態において、走査線駆動素子３の入力端子１９を、走査線駆動出力端子１８の配列された辺に並べて配列する構成とすることができる。そのための構成を、第２の実施の形態として図５に示す。
【００５５】
本第２の実施の形態では、走査線駆動素子３の入力端子１９を、走査線駆動出力端子１８の配列された辺に並べて配列する構成としているので、走査線駆動素子３の位置合わせの精度が要求される方向は走査線駆動素子３の長さＬ１方向だけとなり、生産性ならびに信頼性を向上することができる。
【００５６】
（第３の実施の形態）
さらに、上記第１の実施の形態において、走査線駆動素子３の入力端子１９を、走査線駆動出力端子１８の配列された辺と相対する辺に配列する構成とすることもできる。そのための構成を、第３の実施の形態として図６に示す。
【００５７】
本第３の実施の形態では、走査線駆動素子３の入力端子１９を、走査線駆動出力端子１８の配列された辺と相対する辺に配列する構成としているので、走査線駆動素子３の位置合わせの精度が要求される方向は走査線駆動素子３の長さＬ１方向だけとなり、生産性ならびに信頼性を向上することができる。
【００５８】
（第４の実施の形態）
上記第１の実施の形態において、走査線駆動素子３の長手方向をおおよそ信号線駆動素子４の幅だけ延伸し、走査線駆動素子３の入力端子１９が設けられた辺を、信号線駆動素子４の入力端子２１が設けられた辺とほぼ一直線上にある構成としたが、信号線駆動素子４をおおよそ走査線駆動素子３の幅だけ延伸し、走査線駆動素子３の入力端子１９と外部回路接続用端子２２の間の配線７４を信号線駆動素子４内に形成することができる。そのための構成を、第４の実施の形態として図７に示す。ここで、図８は、図７の円Ｂに囲まれた部分を拡大した平面図である。
【００５９】
図において、走査線駆動素子３の入力端子１９は、走査線駆動出力端子１８の配列された辺と隣接する辺に形成され、信号線駆動素子４には、外部回路接続用端子２２から走査線駆動素子３の入力端子１９への中継配線７４と、その配線用の入力中継端子７５と出力中継端子７１が形成され、ガラス基板１上には、信号線駆動素子４の出力中継端子７１と走査線駆動素子３の入力端子１９を接続するためのアルミ配線又は／及びクロム配線又は／及び銅配線７２が形成されている。
【００６０】
図示されていないが、信号線駆動素子４内の中継配線７４と並設するように、ガラス基板１上にアルミ配線又は／及びクロム配線又は／及び銅配線が形成されても良い。
【００６１】
（第５の実施の形態）
さらに、上記第４の実施の形態において、走査線駆動素子３の入力端子１９を、走査線駆動出力端子１８の配列された辺、又は／及びその辺と相対する辺に配列する構成とすることもできる。そのための構成を、第５の実施の形態として図９に示す。
【００６２】
本第５の実施の形態では、走査線駆動素子３の入力端子１９を、走査線駆動出力端子１８の配列された辺、又は／及びその辺と相対する辺に配列する構成としているので、走査線駆動素子３の位置合わせの精度が要求される方向は走査線駆動素子３の長さＬ１方向だけとなり、生産性ならびに信頼性を向上することができる。
【００６３】
（第６及び第７の実施の形態）
さらに、上記第４の実施の形態と上記第５の実施の形態において、外部回路接続用端子２１、２２を信号線駆動素子４を搭載した額縁部の中央付近、または、外部回路接続用端子２１、２２を信号線駆動素子４を搭載した額縁部の走査線駆動素子３をから最も遠い位置に形成する構成とすることもできる。そのための構成を、それぞれ第６の実施の形態、第７の実施の形態として、それぞれ、図１０及び図１１に示す。
【００６４】
（第８の実施の形態）
図１２に、本発明の第８の実施の形態として液晶表示装置の斜視図が示されている。図１３に第８の実施の形態として液晶表示装置の平面図が示されている。
【００６５】
図において、ガラス基板１は、表示画素電極に電圧を印加する複数個の薄膜トランジスタと、前記薄膜トランジスタを選択する複数本の走査線１６と、前記走査線と直行する複数本の信号線１７、を表面に形成し、ガラス基板２は、前記表示画素電極の対向電極３２を表面に形成している。さらに、ガラス基板１とガラス基板２は液晶３１を封入するように互いに貼り合わされている。前記ガラス基板１の一辺には複数個配列された走査線電極配列と、前記ガラス基板１の走査線電極が配列された辺と隣接する他の一辺には複数個配列された信号線電極配列を有している。走査線駆動素子３は、長手方向は走査線電極端子配列長に応じた長さで、幅は４ｍｍ以下のガラス基板５４の上に、多結晶シリコン薄膜トランジスタから構成され該走査線に電圧を供給する駆動回路５５を形成し、前記ガラス基板１の走査線電極配列に対応する駆動回路の出力端子配列を有し、前記ガラス基板１の走査線電極配列側額縁部に搭載されて、各出力端子１８はそれぞれ対応する走査線電極５９に異方導電性接着フィルム５６により接続されている。
【００６６】
同様に、信号線駆動素子４は、長手方向は信号線電極端子配列長に応じた長さで、幅は４ｍｍ以下のガラス基板３４の上に、多結晶シリコン薄膜トランジスタから構成され該信号線に電圧を供給する駆動回路３５を形成し、前記ガラス基板１の信号線電極配列に対応する駆動回路の出力端子配列２０を有し、前記液晶表示パネルのガラス基板１の信号線電極配列側額縁部に搭載されて、各出力端子２０はそれぞれ対応する信号査線電極３９に異方導電性接着フィルム３６により接続されている。
【００６７】
また、走査線駆動素子３のガラス基板５４の走査線駆動出力端子１８の配列された辺と隣接する辺には、走査線駆動回路５５の入力端子１９が形成され、信号線駆動素子４のガラス基板３４の信号線駆動出力端子２０の配列された辺、又は／及びその辺と相対する辺には、信号線駆動回路３５の入力端子２１が形成されている。
【００６８】
さらに、信号線駆動素子４の長手方向は、おおよそ走査線駆動素子３の幅だけ延伸し、信号線駆動素子４の信号線駆動出力端子２０と隣接する辺は、走査線駆動素子３の入力端子１９が設けられた辺とほぼ一直線上にある。
【００６９】
走査線駆動回路５５の入力端子１９と信号線駆動回路３５の入力端子２１は、外部回路接続用ＦＰＣケーブル５が接続される外部回路接続用端子２２、２３とアルミ配線又は／及びクロム配線又は／及び銅配線２４、２５で電気的に接続されている。
【００７０】
外部回路接続用端子２２、２３は、走査線駆動素子３の搭載された額縁部の縁端部に配列され、外部回路接続用端子２２と走査線駆動素子３の入力端子１９の間は１．５ｍｍ以下である。また、外部回路接続用ＦＰＣケーブル５の端子４６と外部回路接続用端子２２、２３は異方導電性接着フィルム４５により接続されるが、ある接着強度が求められるため、異方導電性接着フィルム４５の幅、すなわち、外部回路接続用端子２２、２３の長手方向は、１ｍｍ乃至１．５ｍｍの長さを有する。
【００７１】
従って、この実施の形態では、信号線駆動素子４の搭載される額縁部の幅Ｗ２をおおよそ４ｍｍに、走査線駆動素子３の搭載される額縁部の幅Ｗ１を７ｍｍ以下にできるという効果がもたらされる。
【００７２】
（第９及び第１０の実施の形態）
さらに、上記第８の実施の形態において、外部回路接続用端子２１、２２を走査線駆動素子３を搭載した額縁部の中央付近、または、外部回路接続用端子２１、２２を走査線駆動素子３を搭載した額縁部の信号線駆動素子４から最も遠い位置に形成する構成とすることもできる。そのための構成を、それぞれ、第９の実施の形態、第１０の実施の形態として図１４、図１５に示す。
【００７３】
（第１１、１２及び第１３の実施の形態）
さらに、上記第８の実施の形態において、外部回路接続用端子２１、２２を信号線駆動素子４を搭載した額縁部の走査線駆動素子３から最も近い位置、外部回路接続用端子２１、２２を信号線駆動素子４を搭載した額縁部の中央付近、または、外部回路接続用端子２１、２２を信号線駆動素子４を搭載した額縁部の走査線駆動素子３から最も遠い位置に形成することもできる。そのための構成を、それぞれ、第１１の実施の形態、第１２の実施の形態及び第１３の実施の形態として、それぞれ、図１６、図１７及び図１８に示す。
【図面の簡単な説明】
【００７４】
【図１】本発明の液晶表示装置の第１の実施の形態を示す斜視図である。
【図２】本発明の液晶表示装置の第１の実施の形態を示す平面図である。
【図３】本発明の液晶表示装置の第１の実施の形態を示す断面図である。
【図４】本発明の液晶表示装置の第１の実施の形態を示す断面図である。
【図５】本発明の液晶表示装置の第２の実施の形態を示す平面図である。
【図６】本発明の液晶表示装置の第３の実施の形態を示す平面図である。
【図７】本発明の液晶表示装置の第４の実施の形態を示す斜視図である。
【図８】本発明の液晶表示装置の第４の実施の形態を示す平面図である。
【図９】本発明の液晶表示装置の第５の実施の形態を示す平面図である。
【図１０】本発明の液晶表示装置の第６の実施の形態を示す斜視図である。
【図１１】本発明の液晶表示装置の第７の実施の形態を示す斜視図である。
【図１２】本発明の液晶表示装置の第８の実施の形態を示す斜視図である。
【図１３】本発明の液晶表示装置の第８の実施の形態を示す平面図である。
【図１４】本発明の液晶表示装置の第９の実施の形態を示す斜視図である。
【図１５】本発明の液晶表示装置の第１０の実施の形態を示す斜視図である。
【図１６】本発明の液晶表示装置の第１１の実施の形態一実施の形態を示す斜視図である。
【図１７】本発明の液晶表示装置の第１２の実施の形態一実施の形態を示す斜視図である。
【図１８】本発明の液晶表示装置の第１３の実施の形態一実施の形態を示す斜視図である。
【図１９】従来の液晶表示装置の一例を示す斜視図である。
【図２０】従来の液晶表示装置の一例を示す平面図である。
【符号の説明】
【００７５】
１  ガラス基板
２  ガラス基板
３  走査線駆動素子
４  信号線駆動素子
５  外部回路接続用フレキシブルフラットケーブル
１６  走査線
１７  信号線
１８  走査線駆動出力端子
１９  入力端子
２０  信号線駆動出力端子
２１  入力端子
２２、２３  外部回路接続用端子
２４、２５  アルミ配線，クロム配線，銅配線
３１  液晶層
３２  対向電極
３３  シールド材
３４  ガラス基板
３５  信号線駆動回路
３６  異方導電性接着フィルム
３７  フィルム基板
３８  銅配線
３９  信号線電極端子
４０  絶縁膜
４１  電極端子
４４、４５  異方導電性接着フィルム
４６  電極端子
５４  ガラス基板
５５  走査線駆動回路
５６  異方導電性接着フィルム
５９  走査線電極端子
６０  絶縁膜
６１、６２  電極端子
６４  異方導電性接着フィルム
【図１】
2005234459.tif 000003
【図２】
2005234459.tif 000004
【図３】
2005234459.tif 000005
【図４】
2005234459.tif 000006
【図５】
2005234459.tif 000007
【図６】
2005234459.tif 000008
【図７】
2005234459.tif 000009
【図８】
2005234459.tif 000010
【図９】
2005234459.tif 000011
【図１０】
2005234459.tif 000012
【図１１】
2005234459.tif 000013
【図１２】
2005234459.tif 000014
【図１３】
2005234459.tif 000015
【図１４】
2005234459.tif 000016
【図１５】
2005234459.tif 000017
【図１６】
2005234459.tif 000018
【図１７】
2005234459.tif 000019
【図１８】
2005234459.tif 000020
【図１９】
2005234459.tif 000021
【図２０】
2005234459.tif 000022